(57)【要約】電子ペーパーが設けられた記録媒体に対して、簡単な構成で電子ペーパーの表示内容を書き換え可能なディスク装置を提供する。  ディスク装置は、回転力を発生させるモータと、ディスクと接触してディスクを固定し、回転力によってディスクを回転させる軸受けとを有している。この軸受けは電気信号を出力する少なくとも１つの出力端子を有している。ディスクが電気信号にしたがって表示内容を書き換え可能な電子ペーパーを備えている場合において、ディスク装置の少なくとも１つの出力端子は、電子ペーパーに電気信号を供給するためにディスク上に設けられた少なくとも１つの入力端子と接触する位置に配置されている。【特許請求の範囲】
【請求項１】
回転力を発生させるモータと、
ディスクと接触して前記ディスクを固定し、前記回転力によって前記ディスクを回転させる軸受けと、
前記ディスクへの情報の記録および／またはディスクからの情報の再生を行うためのヘッドと
を有するディスク装置であって、前記軸受けは電気信号を出力する少なくとも１つの出力端子を有しており、
前記ディスクが、前記電気信号にしたがって表示内容を書き換え可能な電子ペーパーを備えている場合において、前記少なくとも１つの出力端子は、前記電子ペーパーに電気信号を供給するために前記ディスク上に設けられた少なくとも１つの入力端子と接触する位置に配置されている、ディスク装置。
【請求項２】
前記少なくとも１つの出力端子に対する前記電気信号の供給を制御する制御部をさらに備え、
ディスクが装填されたときは、前記制御部は所定の電気信号に基づいて前記導通の有無を判定する、請求項１に記載のディスク装置。
【請求項３】
前記制御部は前記導通の有無に応じて動作を切り替える、請求項２に記載のディスク装置。
【請求項４】
前記制御部は、表示内容を示すイメージ情報を受け取って、前記電気信号に変換する、請求項１に記載のディスク装置。
【請求項５】
前記少なくとも１つの出力端子は、前記回転軸を中心として円環状に設けられている、請求項１に記載のディスク装置。
【請求項６】
前記少なくとも１つの出力端子は複数存在し、複数の出力端子が前記回転軸を中心として同心円状に設けられている、請求項５に記載のディスク装置。
【発明の詳細な説明】
【技術分野】
【０００１】  本発明は、電子ペーパーを備えた記録媒体、および、記録媒体に記録されたコンテンツに関連する情報を電子ペーパーに表示するデータ処理装置に関する。
【背景技術】
【０００２】  近年、デジタルデータを記録するために種々の情報記録媒体が開発され、用いられている。たとえば、データを繰り返し書き換え可能な書き換え型光ディスクや、記録回数が１回に限られている一方、安価である追記型光ディスクが存在する。書き換え型光ディスクの例として、ＤＶＤ−ＲＡＭディスク、ＢＤ−ＲＥ（Ｂｌｕ−ｒａｙ  Ｄｉｓｃ  Ｒｅｗｒｉｔａｂｌｅ）ディスク等がある。また、追記型光ディスク光ディスクの例として、ＤＶＤ−Ｒディスク、ＢＤ−Ｒ（Ｂｌｕ−ｒａｙ  Ｄｉｓｃ  Ｒｅｃｏｒｄａｂｌｅ）ディスク等がある。【０００３】  このような光ディスクの中には、データを記録する記録層と、レーベル記録層とを持つものがある。レーベル記録層は、光入射側の面から見て記録層の奥側または光入射側の面とは反対側の面に設けられている。レーベル記録層にはレーベル情報が記録される。レーベル情報とは、たとえば録画済み番組などのコンテンツのタイトル（文字や画像）の情報である。【０００４】  たとえばＬｉｇｈｔＳｃｒｉｂｅ技術では、光入射側の面と反対側の面にレーベル記録層（レーベル記録面）が設けられたディスクを用いる。ＬｉｇｈｔＳｃｒｉｂｅ技術に対応した光ディスク装置（例えば、ＤＶＤレコーダ）を用いると、録画済み番組のタイトルなどをレーベル記録面に記録することができる。これにより、ユーザはディスクにどのようなコンテンツが記録されているかを把握しやすい、という利点がある。たとえば特許文献１は、レーベル記録面へのレーザーによる情報の記録（印刷）技術を開示している。【０００５】  しかしながら、ＬｉｇｈｔＳｃｒｉｂｅ技術では、レーベル情報を記録するためにディスクを一旦裏返して装填する必要がある。また、レーベル情報はレーベル面に一度しか記録できないため、ＤＶＤ−ＲＡＭのような書き換え型のディスクに対しては、そのレーベル情報は記録されたデータと必ずしも相関するとは限らない。よって、かえってユーザの混乱を招く場合もあり得る。さらに、ＬｉｇｈｔＳｃｒｉｂｅ技術のようにレーザーを使ったレーベル情報の記録には、約３０分もの長時間を要するという問題もある。【０００６】  そこで特許文献２は、電子ペーパーを有する種々の記録媒体、および、電子ペーパーを利用してレーベル情報を表示する技術を開示している。電子ペーパーは書き換え可能であるとともに、書き換え時間はたとえば１秒以下である。これは、レーザーを使ったレーベル情報の記録時間よりもきわめて短い。また、電子ペーパーへの書き込み時に記録媒体を裏返す必要はない。よって、ＬｉｇｈｔＳｃｒｉｂｅ技術を利用することによる問題は解消できる。
【特許文献１】特開２００５−４４５０２号公報
【特許文献２】特開２００３−３３１５６０号公報
【発明の開示】
【発明が解決しようとする課題】
【０００７】  しかしながら、上述の特許文献２においては、装置に比較的大型かつ複雑な機構を設けて電子ペーパーにデータを送り、情報を表示している。近年、光ディスク装置には薄型化、小型化が要求され、また製造コストの低減も依然として必要とされている。したがって、光ディスク装置からデータを送るための機構をいかに薄型化および低価格化に適合させるかが問題となる。【０００８】  また、ユーザの利便性をさらに向上させるために、記録媒体に記録されたコンテンツと密接に関連させて電子ペーパーの表示を制御することも要求されている。【０００９】  本発明の目的のひとつは、電子ペーパーが設けられた記録媒体（たとえば光ディスク）に対し、簡単な構成で電子ペーパーの表示内容を書き換え可能な装置を提供することである。また、本発明の目的のひとつは、記録媒体に記録されたコンテンツと関連して電子ペーパーの表示を制御する装置を提供することである。
【課題を解決するための手段】
【００１０】  本発明によるディスク装置は、回転力を発生させるモータと、ディスクと接触して前記ディスクを固定し、前記回転力によって前記ディスクを回転させる軸受けと、前記ディスクへの情報の記録および／またはディスクからの情報の再生を行うためのヘッドとを有するディスク装置であって、前記軸受けは電気信号を出力する少なくとも１つの出力端子を有しており、前記ディスクが、前記電気信号にしたがって表示内容を書き換え可能な電子ペーパーを備えている場合において、前記少なくとも１つの出力端子は、前記電子ペーパーに電気信号を供給するために前記ディスク上に設けられた少なくとも１つの入力端子と接触する位置に配置されている。【００１１】  前記ディスク装置は、前記少なくとも１つの出力端子に対する前記電気信号の供給を制御する制御部をさらに備え、ディスクが装填されたときは、前記制御部は所定の電気信号に基づいて前記導通の有無を判定してもよい。【００１２】  前記制御部は前記導通の有無に応じて動作を切り替えてもよい。【００１３】  前記制御部は、表示内容を示すイメージ情報を受け取って、前記電気信号に変換してもよい。【００１４】  前記少なくとも１つの出力端子は、前記回転軸を中心として円環状に設けられていてもよい。【００１５】  前記少なくとも１つの出力端子は複数存在し、複数の出力端子が前記回転軸を中心として同心円状に設けられていてもよい。【００１６】  本発明による記録媒体は、表示内容を書き換え可能な電子ペーパーを備えており、前記記録媒体には、再生装置を用いて視聴可能な第１種類のコンテンツおよび視聴不可能な第２種類のコンテンツを格納することが可能であり、前記電子ペーパーは、前記記録媒体に格納されているコンテンツに関する情報を、前記コンテンツの種類に応じて異なる態様で表示してもよい。【００１７】  前記電子ペーパーは、前記記録媒体に格納されているコンテンツに関する情報を、前記コンテンツの種類に応じて異なる濃度で表示してもよい。【００１８】  前記電子ペーパーは、視聴不可能であることを示す情報を含むように、前記第２種類のコンテンツに関する情報を表示してもよい。【００１９】  前記電子ペーパーは、前記第１種類のコンテンツに関する情報のみを表示し、前記第２種類のコンテンツに関する情報を表示しなくてもよい。【００２０】  本発明によるデータ処理装置は、前記記録媒体が装填されるドライブ装置であって、前記記録媒体には視聴不可能な第２種類のコンテンツが格納されている、ドライブ装置と、前記記録媒体に設けられた電子ペーパーと電気的に接続され、前記電子ペーパーの表示内容の書き換えを制御する制御部と、ユーザから前記コンテンツの視聴の認証要求を受け取る受信部と、前記認証要求に応答して視聴を認証するか否かを判定する判定部とを備え、前記判定部が視聴を認証したときには、前記制御部は、視聴可能な第１種類のコンテンツに対応する態様で前記コンテンツに関する情報を前記電子ペーパーに表示させる。【００２１】  前記判定部は、前記認証要求に応答して前記コンテンツに対する料金の支払いが完了しているか否かを示す課金情報を取得し、支払いが完了しているときには視聴を認証してもよい。【００２２】  前記���ータ処理装置は、ネットワークを介して前記コンテンツの提供者のサーバと通信する通信部をさらに備え、前記判定部は、通信部を介して前記課金情報を取得してもよい。【００２３】  前記判定部は、前記コンテンツに対する料金の支払いが完了しているユーザにのみ配布される認証キーを、前記課金情報として取得してもよい。【００２４】  本発明によるデータ処理装置は、記録媒体が装填されるドライブ装置であって、前記記録媒体はコンテンツデータを格納するためのデータ領域を有し、かつ、表示内容を書き換え可能な電子ペーパーを備えている、ドライブ装置と、前記記録媒体に設けられた電子ペーパーと電気的に接続され、前記電子ペーパーの表示内容の書き換えを制御する制御部と、前記コンテンツデータを前記記録媒体に書き込むための処理を行い、前記コンテンツデータに基づいてコンテンツの再生に必要な管理情報を生成する処理部とを備え、前記処理部は、前記コンテンツ固有の識別情報を前記管理情報として付加し、前記制御部は前記識別情報を前記電子ペーパーの表示内容として書き換える。【００２５】  前記データ処理装置は、前記電子ペーパーに表示された識別情報を再生指示として受け取る受信部をさらに備え、前記処理部は、前記識別情報に基づいて前記管理情報を読み出し、前記コンテンツを再生してもよい。【００２６】  本発明による、データを書き換え可能な記録媒体は電子ペーパーを備えており、前記電子ペーパーは、表示部と、電気信号にしたがって前記表示部の表示内容を書き換える制御回路と、所定の映像データが書き込まれたメモリを備えており、前記制御回路は、前記記録媒体がフォーマットされたことを示す電気信号を受けると、前記メモリから前記所定の映像データを読み出して、前記表示部に表示する。【００２７】  本発明による記録媒体は、ユーザデータを格納するためのユーザデータ領域と、ネットワークアドレスの情報が記録された非ユーザデータ領域とを有し、電気信号に基づいて表示内容を書き換え可能な電子ペーパーを備えている。【００２８】  本発明によるデータ処理装置は、前記記録媒体が装填されるドライブ装置と、前記記録媒体に設けられた電子ペーパーと電気的に接続され、前記電子ペーパーの表示内容の書き換えを制御する制御部と、ネットワークを介して所定のサーバと通信する通信部とを備え、前記記録媒体のユーザデータ領域のフォーマット時において、前記ドライブ装置は前記記録媒体の前記非ユーザデータ領域から前記ネットワークアドレスの情報を読み出し、前記通信部は、読み出された前記ネットワークアドレスが割り当てられたサーバからデータを取得し、前記制御部は、取得された前記データに基づいて前記電子ペーパーの表示内容を書き換える。【００２９】  本発明による記録媒体は、表示内容を書き換え可能な電子ペーパーを備えており、前記電子ペーパーは、前記記録媒体に格納されているコンテンツに関する情報を表示するための第１表示領域と、前記コンテンツに関連しない情報を表示するための第２表示領域とを備えている。【００３０】  前記第２表示領域には広告に関する情報が表示されてもよい。【００３１】  前記第２表示領域には、出荷時において所定の広告に関する情報が表示されてい���もよい。【００３２】  前記第１表示領域の表示内容が書き換えられた場合において、前記第２表示領域では表示内容が保持されてもよい。【００３３】  前記第２表示領域の表示内容の書き換えは、前記第１表示領域の表示内容の書き換えとは独立して行われてもよい。
【発明の効果】
【００３４】  本発明によれば、ディスクと接触してディスクを固定し、モータの回転力をディスクに伝達する軸受けに、電気信号を出力する出力端子を設ける。この出力端子は、電子ペーパーを備えたディスクが装填されたときに、そのディスク上に設けられた入力端子と接触する位置に配置されている。出力端子を有するアーム等の可動部品を追加する必要がないため、製造コストを抑えることができる。さらに、稼動部品を用いないため、ユーザにとってもメンテナンスの手間および故障の可能性が大幅に低減される。【００３５】  また本発明のデータ処理装置によれば、記録媒体に記録されたコンテンツと密接に関連させて電子ペーパーの表示を制御する。これにより、ユーザは記録媒体にどのようなコンテンツが記録されているのかを、そのコンテンツの詳細な情報とともに容易に確認でき、ユーザの利便性が非常に高くなる。
【図面の簡単な説明】
【００３６】
【図１】ＨＤＤ内蔵ＢＤレコーダ１００の機能ブロックの構成を示す図である。
【図２】電子ペーパー付きＢＤ２０の構成を示す図である。
【図３】ＢＤ２０の断面を示す図である。
【図４】円形電子ペーパー１０の配線を示す図である。
【図５】（ａ）はＢＤ２０における電子ペーパーの入力端子群１６の形状および位置を示す図であり、（ｂ）は、光ディスクドライブ２５１側の出力端子群２２０の形状および配置を示す図である。
【図６】（ａ）は、第１の変形例にかかる電子ペーパーの入力端子群１６の形状および位置を示す図であり、（ｂ）は第１の変形例にかかる出力端子群２２０の形状および位置を示す図である。
【図７】（ａ）は、第２の変形例にかかる電子ペーパーの入力端子群１６の形状および位置を示す図であり、（ｂ）は第２の変形例にかかる出力端子群２２０の形状および位置を示す図である。
【図８】（ａ）は、第３の変形例にかかる電子ペーパーの入力端子群１６の形状および位置を示す図であり、（ｂ）は第３の変形例にかかる出力端子群２２０の形状および位置を示す図である。
【図９】矩形電子ペーパー１９を示す図である。
【図１０】（ａ）および（ｂ）は、ＢＤ２０における矩形電子ペーパー１９の配置例を示す図である。
【図１１】電子ペーパー付きＢＤが装填されたか否かの検出処理の手順を示すフローチャートである。
【図１２】電子ペーパーの表示内容の変化を示す図である。
【図１３】コンテンツ記録時の電子ペーパーの更新処理の手順を示すフローチャートである。
【図１４】電子ペーパーの表示内容の変化を示す図である。
【図１５】コンテンツ再生時の電子ペーパーの更新処理の手順を示すフローチャートである。
【図１６】ＢＤ２０５ａの記録領域と、そのディレクトリ／ファイル構造を示す図である。
【図１７】（ａ）〜（ｄ）は、管理情報とストリームデータとの関係を示す図である。
【図１８】プレイリストファイル８３に格納される情報（エントリ）およびそのデータ構造を示す図である。
【図１９】複数枚のＤＶＤに記録されたコンテンツを１枚のＢＤ２０にまとめて保存するときのコンテンツの流れと、ＢＤ２０上の電子ペーパーの表示内容を示す図である。
【図２０】ＢＤ−ＲＯＭの記録領域と、そのディレクトリ／ファイル構造を示す図である。
【図２１】管理ファイル９２のデータ構造の一部を示す図である。
【図２２】電子ペーパーに表示されたタイトルＩＤに基づくコンテンツの再生処理の手順を示すフローチャートである。
【図２３】未購入コンテンツに料金を支払ったときの、電子ペーパーの表示内容の変化を示す図である。
【図２４】ロックド・コンテンツの認証処理および電子ペーパーの更新処理の手順を示すフローチャートである。
【図２５】（ａ）は、コンテンツの再生可能な時期に依存しないコンテンツの表示例を示す図であり、（ｂ）〜（ｄ）は、再生可能なコンテンツの情報３７、および、再生不可能なコンテンツの情報３８を示す複数の表示例を示す図である。
【図２６】ＢＤ２０をフォーマット処理したときの電子ペーパーの表示内容の変化を示す図である。
【図２７】（ａ）は電子ペーパーの内蔵ＲＯＭ１７を示す図であり、（ｂ）はＢＤ２０を構成するＢＤ２０５ａのリードイン９６の配置を示す図である。
【図２８】図２７（ａ）の構成を利用したフォーマット時の電子ペーパーの更新処理の手順を示すフローチャートである。
【図２９】図２７（ｂ）の構成を利用したフォーマット時の電子ペーパーの更新処理の手順を示すフローチャートである。
【図３０】処理に応じて独立して更新される複数の表示領域の表示内容の変化を示す図である。
【図３１】行アドレス線１５−１および列アドレス線１５−２の交点位置における電子ペーパーの断面図である。
【符号の説明】
【００３７】  １０  電子ペーパー
１１  行制御回路
１２  列制御回路
１３  表示部
１４  周縁部
１５−１  行アドレス線
１５−２  列アドレス線
１６  入力端子群
２０  電子ペーパー付きＢＤ
１００  ＨＤＤ内蔵ＢＤレコーダ
１１２  メモリカード
２０５ａ  ＢＤ
２０１ａ  デジタルチューナ
２０１ｂ  アナログチューナ
２０２  ＡＤコンバータ
２０３  ＭＰＥＧ−２エンコーダ
２０４  ＴＳ処理部
２０５ａ  ＢＤ
２０５ｂ  ＨＤＤ
２０６  ＭＰＥＧ−２デコーダ
２０７  グラフィック制御部
２０８  メモリ
２０９  ＤＡコンバータ
２１０  プログラムＲＯＭ
２１１  ＣＰＵ
２１２  ランダムアクセスメモリ（ＲＡＭ）
２１３  ＣＰＵバス
２１４  ネットワーク制御部
２１５  指示受信部
２１６  インターフェース（Ｉ／Ｆ）部
２１７  メモリカード制御部
２１９  書換制御部
２２０  出力端子群
２２１  ドライブ回転軸
２２２  ドライブ軸受け
２２３  スピンドルモータ
２５０  システム制御部
２５１  光ディスクドライブ
【発明を実施するための最良の形態】
【００３８】  以下、添付の図面を参照しながら、本発明によるデータ処理装置の実施形態を説明する。以下の実施形態の説明においては、データ処理装置は、ＨＤＤ内蔵型の光ディスク装置、より具体的にはＨＤＤ内蔵ＢＤレコーダであるとして説明するが、カムコーダやラップトップＰＣ（ノートブックＰＣ）等でもよい。【００３９】  また、実施形態におけるＨＤＤ内蔵型光ディスクレコーダは、後述の光ディスク、半導体メモリ、ＨＤＤ等からのデータの読み出しおよび書き込みを行うドライブ／スロットを搭載しているが、全てを備えている必要はなく、後述の各動作に必要とされるドライブ／スロット以外は備えていなくてもよい。
１．光ディスク装置の構成【００４０】  以下、図１を参照しながら、本実施形態による光ディスク装置の構成を説明する。図１は、ＨＤＤ内蔵ＢＤレコーダ（以下「レコーダ」と記述する。）１００の機能ブロックの構成を示す。【００４１】  レコーダ１００は、記録媒体として、ＢＤ２０５ａおよびハードディスクドライブ（ＨＤＤ）２０５ｂ内のハードディスクを有している。レコーダ１００は、ＢＤ２０５ａおよびハードディスクに任意のデータを書き込み、読み出すことが可能である。ＢＤ２０５ａは再生専用であってもよく、その場合にはレコーダ１００はデータの読み出しのみを行う。図１では、ＢＤ２０５ａがレコーダ１００内に記載されているが、ＢＤ２０５ａは光ディスクレコーダ１００から取り外し（イジェクト）可能であり、レコーダ１００自体の構成要素ではないことに留意されたい。また、説明の便宜上、ハードディスクを利用したデータの書き込み／読み出しは、ＨＤＤ２０５ｂへのデータの書き込み／読み出しと記述する。【００４２】  図１に示すＢＤ２０５ａには、電子ペーパー１０が設けられている。電子ペーパー１０は、端子を介して供給された電気信号に基づいて表示内容の書き換えが行われるように構成されている。レコーダ１００は、ＢＤ２０５ａに記録されたコンテンツ等と密接に関連させて電子ペーパーの表示を制御することができる。表示制御の詳細は後述する。なお、レコーダ１００には電子ペーパー１０を有していないＢＤ２０５ａが装填されることもある。レコーダ１００は、電子ペーパー１０の有無を判定し、その判定結果に応じて動作を切り替えることができる。【００４３】  レコーダ１００は、デジタルチューナ２０１ａおよびアナログチューナ２０１ｂと、ＡＤコンバータ２０２と、ＭＰＥＧ−２エンコーダ２０３と、ＴＳ処理部２０４と、ＭＰＥＧ−２デコーダ２０６と、グラフィック制御部２０７と、メモリ２０８と、ＤＡコンバータ２０９と、ＣＰＵバス２１３と、ネットワーク制御部２１４と、指示受信部２１５と、インターフェース（Ｉ／Ｆ）部２１６と、メモリカード制御部２１７と、書換制御部２１９と、システム制御部２５０と、光ディスクドライブ２５１とを含む。【００４４】  以下、各構成要素の機能を説明する。デジタルチューナ２０１ａは、アンテナ（図示せず）から１以上の番組（コンテンツ）が含まれるデジタル信号を受け取る。デジタル信号として伝送されるトランスポートストリームには複数の番組のパケットが混在している。複数の番組のパケットを含むトランスポートストリームは“フルＴＳ“と呼ばれる。フルＴＳには番組に関する属性情報が多重化されており、これにより豊富なサービスが実現される。属性情報には、ガイド情報、視聴制限情報、コピー制御情報が含まれている。デジタルチューナ２０１ａは、選局を行ってフルＴＳから必要な番組のパケットのみを取り出し、”パーシャルＴＳ“として出力する。【００４５】  フルＴＳからパーシャルＴＳを生成する際には、必要な映像・音声情報を格納したパケットを取り出すだけでなく、ＥＩＴ（Ｅｖｅｎｔ  Ｉｎｆｏｒｍａｔｉｏｎ  Ｔａｂｌｅ）パケット、ＰＳＩ（Ｐｒｏｇｒａｍ  Ｓｐｅｃｉｆｉｃ  Ｉｎｆｏｒｍａｔｉｏｎ）パケットおよびＳＩ（���ｅｒｖｉｃｅ  Ｉｎｆｏｒｍａｔｉｏｎ）パケット等を抽出し、変更する必要がある。【００４６】  ＢＳデジタル放送においては、ガイド情報はＥＩＴパケット内のＥＩＴテーブルにおいて、短形式イベント記述子や拡張形式イベント記述子として規定されている。ガイド情報９１は、たとえば番組タイトル、出演者、あらすじ、放送チャンネル、番組の放送日時、番組の出演者、製作者を特定する情報を含む。【００４７】  またＰＳＩ／ＳＩパケットには、番組ごとの管理情報のみならず、番組名等の付加的な番組情報が格納されている。レコーダ１００は、フルＴＳのＰＳＩ／ＳＩパケットから、パーシャルＴＳの再生等に関して必要なデータのみを抽出されて１つのＳＩＴパケットが生成され、パーシャルＴＳ内に多重化する。【００４８】  アナログチューナ２０１ｂは、アンテナ（図示せず）からアナログ信号を受け取り、周波数に基づいて選局を行って必要な番組の信号を取り出す。そして番組の映像および音声信号をＡＤコンバータ２０２に出力する。【００４９】  ＡＤコンバータ２０２は入力された信号をデジタル変換してＭＰＥＧ−２エンコーダ２０３に供給する。ＭＰＥＧ−２エンコーダ２０３（以下「エンコーダ２０３」と記述する）は、録画の開始指示を受け取ると、供給されたアナログ放送のデジタルデータをＭＰＥＧ−２形式に圧縮符号化してトランスポートストリームを生成し、ＴＳ処理部２０４に入力する。【００５０】  ＴＳ処理部２０４は、コンテンツの記録時にはパーシャルＴＳを受け取り、クリップＡＶストリーム（ＣｌｉｐＡＶストリーム）を生成し、ＢＤ２０５ａおよび／またはＨＤＤ２０５ｂに記録する。クリップＡＶストリームとは、ＢＤ２０５ａおよび／またはＨＤＤ２０５ｂに記録するための形式を有するデータストリームである。クリップＡＶストリームは複数の「ソースパケット」から構成されており、「ソースパケット」はパーシャルＴＳを構成する各ＴＳパケットに所定のヘッダを付加して生成される。【００５１】  ＴＳ処理部２０４は、コンテンツの再生時には、ＢＤ２０５ａおよび／またはＨＤＤ２０５ｂからクリップＡＶストリームを読み出し、そのクリップＡＶストリームに基づいてパーシャルＴＳを生成してＭＰＥＧ−２デコーダ２０６に出力する。【００５２】  また、ＴＳ処理部２０４は、後述するメモリカード制御部２１７からメモリカード１１２に格納された静止画データを受け取り、その静止画を加工することなくそのままＢＤ２０５ａおよび／またはＨＤＤ２０５ｂに記録する。また、ＢＤ２０５ａおよび／またはＨＤＤ２０５ｂに記録された静止画データを読み出してデコーダ２０６に出力することもできる。【００５３】  なお、本明細書では、ＴＳ処理部２０４がＢＤ２０５ａおよび／またはＨＤＤ２０５ｂにデータを記録し、またはそれらからデータを読み出すとして説明しているが、これは説明の便宜のためである。ＢＤ２０５ａやＨＤＤ２０５ｂに対するストリームの書き込みや読み出しは、実際には、ディスクの回転、ヘッドの移動とともに各々のドライブおよびそのコントローラ（図示せず）が行っている。【００５４】  ＭＰＥＧ−２デコーダ２０６（以下「デコーダ２０６」と記述する）は、供給されたパーシャルＴ��を解析してＭＰＥＧ−２圧縮符号化データを取得する。そして、その圧縮符号化データを伸長して非圧縮データに変換し、グラフィック制御部２０７に供給する。また、デコーダ２０６は、ＭＰＥＧ−２規格の圧縮符号化データのみならず、例えばＪＰＥＧ規格に従った静止画データも非圧縮データに変換することができる。グラフィック制御部２０７には内部演算用のメモリ２０８が接続されており、オン・スクリーン・ディスプレイ（Ｏｎ  Ｓｃｒｅｅｎ  Ｄｉｓｐｌａｙ；ＯＳＤ）機能を実現できる。例えば、グラフィック制御部２０７は種々のメニュー画像と映像とを合成してＤＡコンバータ２０９に出力することができる。ＤＡコンバータ２０９は、入力されたＯＳＤ合成画像および音声データをアナログ変換して出力する。出力先は、例えばＴＶである。【００５５】  ＣＰＵバス２１３はレコーダ１００内の信号を伝送する経路であり、図示されるように各機能ブロックと接続されている。また、ＣＰＵバス２１３には、後述するシステム制御部２５０の各構成要素も接続されている。【００５６】  ネットワーク制御部２１４は、レコーダ１００をインターネット等のネットワーク１０１に接続するためのインターフェイスであり、例えば、イーサネット（登録商標）規格に準拠した端子およびコントローラを有する通信部である。ネットワーク制御部２１４は、ネットワーク１０１を介してデータを授受する。このデータは、例えばユーザが課金されたコンテンツを視聴するときのコンテンツプロバイダへの認証要求であり、また、コンテンツプロバイダからの、支払い済みか否かを示す課金情報である。また、レコーダ１００の動作を制御するためのソフトウェアプログラムの更新データも含まれる。【００５７】  指示受信部２１５は、レコーダ１００の本体部に設けられた操作ボタン、または、リモートコントローラからの赤外線を受光する受光部である。指示受信部２１５は、ユーザから、例えば録画の開始／停止、録画した番組の再生の開始／停止等の指示や、上述の認証要求を与える。【００５８】  インターフェース（Ｉ／Ｆ）部２１６は、レコーダ１００が他の機器と通信するためのコネクタおよびその通信を制御する。Ｉ／Ｆ部２１６は、例えばＵＳＢ２．０規格の端子、ＩＥＥＥ１３９４規格の端子および各規格によるデータ通信を可能とするコントローラを含み、各規格に準拠した方式でデータを授受することができる。例えば、レコーダ１００は、ＵＳＢ２．０規格の端子を介してＰＣ１０８や、カムコーダ（図示せず）等と接続され、ＩＥＥＥ１３９４規格の端子の端子を介してデジタルハイビジョンチューナや、カムコーダ（図示せず）等と接続される。【００５９】  メモリカード制御部２１７は、メモリカード１１２をレコーダ１００に装填するためのスロット、および、レコーダ１００とメモリカード１１２との間のデータ通信を制御するコントローラである。【００６０】  システム制御部２５０は、レコーダ１００内の信号の流れを含む全体的な処理を制御する。システム制御部２５０は、プログラムＲＯＭ２１０と、ＣＰＵ２１１と、ランダムアクセスメモリ（ＲＡＭ）２１２とを有している。それぞれはＣＰＵバス２１３に接続されている。プログラムＲＯＭ２１０にはレ���ーダ１００を制御するためのソフトウェアプログラムが格納されている。添付の図面に含まれる種々のフローチャートは、それぞれがソフトウェアプログラムとして実装されている。【００６１】  ＣＰＵ２１１は、レコーダ１００の全体の動作を制御する中央制御ユニットである。ＣＰＵ２１１は、プログラムを読み出して実行することにより、プログラムに基づいて規定される処理を実現するための制御信号を生成し、ＣＰＵバス２１３を介して各構成要素に出力する。またＣＰＵ２１１は、コンテンツの再生に必要な管理情報を生成し、ＣＰＵバスを介してＴＳ処理部２０４やメモリカード制御部２１７に出力する。【００６２】  ＲＡＭ２１２は、ＣＰＵ２１１がプログラムを実行するために必要なデータを格納するためのワーク領域を有する。例えば、ＣＰＵ２１１は、ＣＰＵバス２１３を使用してプログラムＲＯＭ２１０からプログラムをＲＡＭ２１２に読み出し、そのプログラムを実行する。なお、コンピュータプログラムは、ＣＤ−ＲＯＭ等の記録媒体に記録して市場に流通され、または、インターネット等の電気通信回線を通じて伝送される。これにより、ＰＣ等を利用して構成されたコンピュータシステムを、本実施形態によるレコーダ１００と同等の機能を有するデータ処理装置として動作させることができる。【００６３】  光ディスクドライブ２５１は、ＢＤ２０５ａにデータを書き込み、ＢＤ２０５ａに書き込まれたデータを読み出す。光ディスクドライブ２５１は、たとえばディスクトレイ、光ヘッド、スピンドルモータ、スピンドルモータの回転をディスクに伝達する回転軸およびドライブ全体の動作を制御するコントローラ等（いずれも図示せず）を備えている。これらのうち、一部の構成は図５（ｂ）などに関連して後述する。【００６４】  書換制御部２１９は、表示対象の情報（イメージデータ）を受け取って電気信号に変換する。そして書換制御部２１９は、その電気信号を光ディスクドライブ２５１に設けられた出力端子（後述）を介して電子ペーパー１０に送り、電子ペーパー１０の表示内容の書き換えを制御する。書換制御部２１９によってどのような書き換えが行われるかについては、後に詳述する。
２．電子ペーパー付きＢＤの構成【００６５】  図２は、電子ペーパー付きＢＤ２０の構成を示す。電子ペーパー付きＢＤ２０は、円形の電子ペーパー１０を接着剤などによってＢＤ２０５ａの一方の面に接着することによって得られる。以下の説明においては、電子ペーパー１０が設けられたＢＤ２０５ａを「ＢＤ２０」と記述する。なお、ＢＤ２０５ａは記録可能型のＢＤ−ＲＥディスクやＢＤ−Ｒディスクであってもよいし、再生専用のＢＤ−ＲＯＭディスクであってもよい。【００６６】  図３は、ＢＤ２０の断面を示す。ＢＤ２０は、約４０５ｎｍのレーザー光が照射される側から順に、カバー層、記録層およびディスク基板が積層されている。そしてディスク基板上には電子ペーパー１０が接着されている。以下では、電子ペーパー１０が貼り付けられている側のＢＤ２０の面を「表側面」といい、電子ペーパー１０が貼り付けられていない側の面、すなわちカバー層側の面をＢＤ２０の「裏側面」という。ＢＤ２０の「裏側面」に対して、レーザー光が照射されてデータの書き込みおよび／または読み出しが行われる。【００６７】  次に、電子ペーパー１０を詳細に説明する。まず、電子ペーパー１０が有する重要な特徴は、十分短い応答時間、たとえば１秒以下の応答時間で表示内容が書き換えが可能であること、および、表示内容の書き換えが終了した後で外部電場の印加を停止しても表示内容が保持されることである。よって、レコーダ１００から抜き出された後でも、ユーザはＢＤ２０上の電子ペーパー１０の表示内容を確認できる。【００６８】  上述の特徴を利用すると、たとえばＢＤ２０の出荷時に、電子ペーパー１０に予め何らかの情報を表示させておくことも可能である。たとえばブランク状態のＢＤ２０に広告を表示しておくことにより、ＢＤ２０の販売価格を抑える等の応用が可能である。【００６９】  電子ペーパー１０の表示原理は種々開発されている。そのうち、たとえば特開２００４−２４４６２０号公報に紹介されているように、ジリコンメディア社によるジリコンビーズを用いた帯電ビーズ法と、Ｅ  Ｉｎｋ社による、マイクロカプセルを用いた電気泳動法とがよく知られている。【００７０】  帯電ビーズ法とは、白と黒の二色に塗り分けた固体粒子（ジリコンビーズ）を利用しドライバ層の電荷によってこの粒子を回転させる表示方式である。白色の半球が表に表れれば白が表示され、黒色の半球が表に表れれば黒が表示される。【００７１】  また電気泳動法とは、青色の液体と白色の帯電粒子（たとえば酸化チタン粒子）を透明樹脂のマイクロカプセルの中に入れ、液体中に分散している白い帯電粒子が外部電場に応答してマイクロカプセル内を移動する電気泳動を利用した表示方式である。外部電場のかけ方を調整することにより、電子ペーパーの表面に近い側に白色の帯電粒子が引き寄せられると、電子ペーパーが着色表示される。電子ペーパーの裏面に近い側に白色の帯電粒子が引き寄せられると、電子ペーパーに青色表示される。フィルタを設けると黒色等の表示も可能である。【００７２】  以下に言及する電子ペーパーは、マイクロカプセルを用いた電気泳動法を利用する電子ペーパーであるとして説明する。電子ペーパー１０を利用して、文字、図形等の任意の模様を表示することが可能である。また、カラーフィルター等を用いてカラー表示をすることも可能である。【００７３】  図４は、円形電子ペーパー１０の配線を示す。円形電子ペーパー１０は、主として表示部１３と周縁部１４とから構成されている。表示部１３は、文字、図形等を表示する領域である。表示部１３には、粒子に外部電場を印加するための複数の行アドレス線１５−１および複数の列アドレス線１５−２が格子状に配置されている。表示部１３の中心部には、円形のＢＤ２０５ａの中心部の孔に対応して孔が形成されており、行／列アドレス線はその位置において孔を迂回するように配線されている。【００７４】  周縁部１４には、行制御回路１１および列制御回路１２が配置されている。行制御回路１１および列制御回路１２はそれぞれ、複数の行アドレス１５−１線および複数の列アドレス線１５−２線に印加する電圧を制御する。印加される電圧は、円形電子ペーパー１０の入力端子（後述）から入力される電気信号に基づいて決定される。電気信号は、表示されるイメージデータに対応している。【００７５】  図３１の（Ａ）および（Ｂ）は、行アドレス線１５−１および列アドレス線１５−２の交点位置における電子ペーパー１０の断面を示す。【００７６】  電子ペーパー１０は、行アドレス線１５−１を有する第１基体シート３２１と、電気泳動層と、列アドレス線１５−２を有する第２基体シート３２３から構成される。電気泳動層は行アドレス線１５−１および列アドレス線１５−２に挟まれている。たとえばユーザは、第２基体シート３２３側から電子ペーパーの表示を視認できる。【００７７】  第１基体シート３２１として、紙類や合成樹脂類を適用できる。合成樹脂としては、透明または着色のいずれもが用いられる。着色は、たとえば樹脂へ着色顔料を練り込んだり、第１基体シート３２１の片側または両側へ公知の印刷・コーティング方法にて着色インキを形成すればよい。色調は、表示の見やすさなどを考慮して適宜選択することができる。【００７８】  第２基体シート３２３として、透明な合成樹脂類を適用できる。合成樹脂には、可逆表示と表示の観察に影響のない範囲で、滑剤、帯電防止剤、抗菌剤、分散剤、顔料などの添加し混入してもよい。【００７９】  第１基体シート３２１への行アドレス線１５−１の形成、および第２基体シート３２３への列アドレス線１５−２の形成は、ポリエステルなどの第１基体シート３２１および第２基体シート３２３の表面にアルミニウムやＩＴＯなどを真空法で製膜し、エッチング法などで、線状の行アドレス線１５−１および列アドレス線１５−２を形成する。各列アドレス線１５−２は、透明なＩＴＯが適用できるが、基体シート３２１側の各行アドレス線１５−１については、アルミニウム・銅・金などの導電性の不透明な材料であってもよい。【００８０】  Ｅ  Ｉｎｋ社によるＥインク方式の電気泳動層は、多数のカプセル３１５を含有したバインダ３１３で、シート状に形成されている。カプセル３１５の内部は、溶媒３１７で満たされており、微細な複数の泳動粒子３１９が移動可能に分散されている。【００８１】  カプセル３１５は、ホルムアルデヒド架橋尿素樹脂からなり、直径は４０μｍ前後である。該��プセルの中の溶媒３１７としては、ＩｓｏｐａｒＧなどの絶縁性液体で、染料を溶解しても良く、またテトラクロロエチレンで溶媒３１７と泳動粒子３１９の比重とが等しくなるように比重調整してある。溶媒３１７と泳動粒子１９の比重とが等しいため、ＢＤ２０が高速に回転しても泳動粒子３１９の位置は変動しない。よって表示内容が崩れることはない。泳動粒子３１９は、低密度ポリエチレンでコーティングした０．２〜０．３μｍの酸化チタン微粒子である。【００８２】  各泳動粒子３１９は、電界（電場）のマイナス側に引き寄せられる。電界（電場）のマイナス側は、行アドレス線１５−１および列アドレス線１５−２のうち、より低い電圧が印加された側に対応する。【００８３】  図３１のうち、左側の例（Ａ）は、列アドレス線１５−２が電場のマイナス側の例である。各泳動粒子３１９は、列アドレス線１５−２側に引き寄せられる。このとき、表示部には白色が表示される。一方、右側の例（Ｂ）は、行アドレス線１５−１が電場のマイナス側の例である。各泳動粒子１９は、行アドレス線１５−１側に引き寄せられる。このとき、表示部には黒または溶媒の色が表示される。【００８４】  電子ペーパー１０に表示される内容（イメージデータ）のうちの行方向のデータが各行アドレス線１５−１に送られ、また、列方向のデータは同期をとって順次各列アドレス線１５−２に送られる。【００８５】  なお、行アドレス線１５−１および列アドレス線１５−２の直交位置にトランジスタ等のスイッチング素子を設けてもよい。トランジスタを設けた電子ペーパーは、たとえば特開２００２−１６９１９０に開示されている。【００８６】  上述の例では、マイクロカプセルに青色の液体と白色の帯電粒子とを入れる例を説明したが、他の構成を採用することができる。たとえば透明樹脂のマイクロカプセルの中に、透明な絶縁性液体（または流動体）とプラスに帯電された白色粒子とマイナスに帯電された黒色顔料を入れてもよい。行アドレス線１５−１および列アドレス線１５−２に電位差を与えて白色粒子と黒色顔料とが移動する方向を制御することによって、電子ペーパー上の白・黒の表示が可能となる。【００８７】  なお、現在、電気泳動法による表示方式以外の他の方式を採用する電子ペーパーの開発も進められている。たとえば光書き込み方式の電子ペーパーや、ＱＲ−ＬＰＤなどの電子ペーパーである。本発明の実施に当たってはこれらの電子ペーパーを採用することも可能である。【００８８】  図５（ａ）は、ＢＤ２０における電子ペーパーの入力端子群１６の形状および位置を示す。入力端子群１６はＢＤ２０裏側面の、レーザー光が照射されるデータ領域の内周寄りに設けられている。各入力端子は円弧状であり、それらが異なる半径位置に配置されている。入力端子群１６の各々は行制御回路１１および列制御回路１２に接続されている。【００８９】  図５（ｂ）は、光ディスクドライブ２５１側の出力端子群２２０の形状および配置を示す。出力端子群２２０は電子ペーパー裏側面の入力端子群１６と接触して電気的に接続され、書換制御部２１９からの電気信号を入力端子群１６に供給する。出力端子群２２０の各々は、光ディスクドライブ２５１の回転軸２２１に関し��同心円状に配置されている。入力端子群１６の各半径位置を決めていれば、入力端子群１６と接触するように出力端子群２２０を配置することができる。回転軸２２１には、スピンドルモータ２２３が発生した回転力が伝達される。出力端子群２２０の各々は、回転軸２２１とともに回転する。【００９０】  この出力端子群２２０の構成および配置が有利な点は、小型の光ディスクドライブにもきわめて容易に採用できることである。たとえばラップトップＰＣに採用されている薄型の光ディスクドライブは、ＢＤ２０を回転軸２２１にはめ込んで固定するものが多い。出力端子群２２０を同心円状に配置しておくと、ＢＤ２０をはめ込む位置を問わず、確実に出力端子群２２０を入力端子群１６に接触させることができる。【００９１】  入力端子群１６および出力端子群２２０の各形状および配置は種々考えられる。たとえばドライブ軸受けを有する光ディスクドライブについては、図６に示す構成が好ましい。【００９２】  図６（ａ）は、第１の変形例にかかる、電子ペーパーの入力端子群１６の形状および位置を示す。入力端子群１６はＢＤ２０の表側面に、円環状かつ同心円状に設けられている。図６（ｂ）は、第１の変形例にかかる出力端子群２２０の形状および位置を示す。光ディスクドライブの中には、ドライブ回転軸２２１に対応してドライブ軸受け２２２を有するものが存在する。そこで、その軸受け２２２に、異なる半径位置に配置された円弧状の２２２を設ければよい。【００９３】  図５および図６に示す例では、ＢＤ２０が静止している場合のみならず、ＢＤ２０が回転している場合でも入力端子群１６と出力端子群２２０とが接触している。これは、ＢＤ２０が回転しているか否かにかかわらず安定的に電気信号を供給できることを意味する。よって、電子ペーパー１０の表示内容の書き換えは任意のタイミングで可能である。【００９４】  さらに、図５および図６に示す例では、ＢＤ２０５ａの内周側に、同心円状に端子を配置するため、小さな円、すなわち短い配線で端子を形成できる。よってディスクの供給者は低コストでＢＤ２０を製造できる。光ディスクドライブ２５１の製造者にとっても出力端子群２２０とその配線を配置するのみでよい。よって容易かつ低コストで光ディスクドライブ２５１を製造できる。特に、従来例に設けられているようなアーム等の可動部品を追加する必要がないため製造コストを抑えることができる。さらに、稼動部品を用いないため、ユーザにとってもメンテナンスの手間および故障の可能性が大幅に低減され、有利である。【００９５】  なお、図５および図６では、入力端子群１６および出力端子群２２０は各３本存在する。これらはたとえば電源線、行アドレス線１５−１および列アドレス線１５−２にそれぞれ対応している。しかし、これらは少なくとも各２本設けておけばよい。電子ペーパー１０の制御回路１１および１２を駆動するための電圧線と、電子ペーパー１０の表示内容を示す電気信号（制御信号）を送る信号線とが存在すれば、表示の書き換え制御が可能だからである。本数が多くなればデータバス幅が広がり高速化されるが、コストがかかることなり、これらはトレードオフの関係がある。設計に応じて適宜変形すればよい。��００９６】  なお、電子ペーパー１０に無線受信回路（図示せず）を設け、書換制御部２１９から無線によって表示内容を示すデータを受信し、そのデータに基づく電気信号を無線受信回路が制御回路１１および１２に供給するように構成することもできる。このときは、各回路を駆動するための電圧線が１本存在すれば十分である。【００９７】  図７および図８は、対応する入力端子群１６および出力端子群２２０の更なる変形例を示している。【００９８】  図７（ａ）は、第２の変形例にかかる、電子ペーパーの入力端子群１６の形状および位置を示す。入力端子群１６はＢＤ２０の表側面に、電子ペーパー１０の周縁部１４に集中的に配置されている。図７（ｂ）は、第２の変形例にかかる出力端子群２２０の形状および位置を示す。【００９９】  図７の例では、ディスクが静止した状態で電気信号が電子ペーパー１０に送られる。光ディスクドライブ２５１は、出力端子群２２０がＢＤ２０５ａ上の入力端子群１６に接触させるためのドライブ制御を行う。たとえば光ディスクドライブ２５１は、レーベル面側の所定の画像パターンや電圧端子の形状を認識して位置合わせを行い、各端子同士を接触させてもよい。【０１００】  図８（ａ）は、第３の変形例にかかる、電子ペーパーの入力端子群１６の形状および位置を示す。入力端子群１６はＢＤ２０の表側面に、電子ペーパー１０の最外周位置に分散して配置されている。図８（ｂ）は、第３の変形例にかかる出力端子群２２０の形状および位置を示す。【０１０１】  図８の例では、ディスクが回転した状態で電気信号が電子ペーパー１０に送られる。出力端子群２２０は、回転しているＢＤ２０の横方向からディスクに接触する。出力端子群２２０はディスクの回転中心のずれを吸収するために可動式（バネ等による固定式）であってもよい。【０１０２】  なお、本例はディスクが回転していない状態であっても利用できる。たとえば出力端子群２２０をディスクトレイ上に配置することにより、ユーザは入力端子群１６と出力端子群２２０とが接触するようにディスクを装填すればよい。【０１０３】  これまでの説明では、電子ペーパー１０は円形であるとした。しかし、他の形状を採用することもできる。【０１０４】  たとえば図９は、矩形電子ペーパー１９を示す。矩形電子ペーパー１９もまた表示部１３および周縁部１４を有している。表示部１３には格子状の複数の行アドレス線１５−１および複数の列アドレス線１５−２が設けられ、周縁部１４には行制御回路１１および列制御回路１２が配置されている。矩形電子ペーパー１９の表示原理およびその制御方法は、先に説明した円形電子ペーパーの例と同じである。よって説明は省略する。【０１０５】  図１０（ａ）および（ｂ）は、ＢＤ２０における矩形電子ペーパー１９の配置例を示す。図１０（ａ）では、１枚の矩形電子ペーパー１９が設けられている。図１０（ｂ）では、２枚の矩形電子ペーパー１９が設けられている。矩形電子ペーパー１９の配置および／または数はさらに変更することができる。いずれの例においても、入力端子群１６の配置および／または数は図５（ａ）〜図８（ａ）に示す例を採用できる。【０１０６】  上述のように、電子ペーパー１０の形状、入力端子���１６／出力端子群２２０の形状、配置および数は種々考えられる。以下では、電子ペーパーは円形であるとし、入力端子群１６／出力端子群２２０は、図５（ａ）および（ｂ）に示すように構成されているとして説明する。
３．光ディスク装置による電子ペーパー付きＢＤの装填検出処理【０１０７】  レコーダ１００は、電子ペーパー１０を有するＢＤ２０５ａ（すなわちＢＤ２０）が装填されたか、または、電子ペーパー１０を有さないＢＤ２０５ａが装填されたかによって、動作を切り替えることができる。たとえばＢＤ２０が装填されたときには、その情報をレコーダ１００に接続されたＴＶや、レコーダ１００の表示管（図示せず）に表示することができる。また、書換制御部２１９を動作させて、コンテンツ記録後にそのコンテンツのタイトル、記録日時等を電子ペーパー１０に表示させることができる。一方、電子ペーパー１０を有さないＢＤ２０５ａが装填されたときには、書換制御部２１９を動作させず、通常のコンテンツの記録を行えばよい。【０１０８】  そこで、以下、図１１を参照しながら、レコーダ１００における電子ペーパー付きＢＤの装填検出処理を説明する。【０１０９】  図１１は、電子ペーパー付きＢＤが装填されたか否かの検出処理の手順を示す。ステップＳ１１０において、レコーダ１００はディスクの装填を検出する。たとえばディスクがディスクトレーを利用して装填されるときには、ディスクトレーをレコーダ１００内に収納した後レーザー光を放射し、反射光の光量に基づいて反射率を計算する。その結果、反射率が所定値以上であればディスクが装填されたと判定できる。なお、ディスクトレーを利用しないスロットローディング方式を採用する場合には、ローディング用のモーター（図示せず）の動作終了後にレーザー光を放射すればよい。【０１１０】  ディスクが装填されたときは、次のステップＳ１１１に進む。ステップＳ１１１において、書換制御部２１９は所定の電気信号を出力して出力端子群２２０に電圧を印加する。そしてステップＳ１１２において、導通があるか否かを判定する。電気信号は導通の有無をチェックする目的で出力される任意の信号である。【０１１１】  導通があるときには、出力端子群２２０は入力端子群１６と接触していることを意味する。よって、書換制御部２１９は、装填されたディスクは電子ペーパー１０付きＢＤ２０５ａ（すなわちＢＤ２０）であると判断できる。このとき処理はステップＳ１１３に進む。【０１１２】  一方、導通がないときには、ディスクには入力端子群１６が存在しないことを意味する。よって、書換制御部２１９は装填されたディスクは電子ペーパー１０を備えないＢＤ２０５ａであると判断できる。この後処理は終了する。【０１１３】  ステップＳ１１３およびＳ１１４は、ＢＤ２０であると判定した後の付加的な処理である。ステップＳ１１３において、書換制御部２１９はＢＤ２０の属性情報を取得する。属性情報とは、たとえばＢＤ２０の直径が８０ｍｍか１２０ｍｍかを示す情報、記録層の数を示す情報、記録層が複数種類存在するハイブリッドディスクか否かの情報等である。これらはＢＤ２０の出荷時等において、電子ペーパー１０のチップ回路内のメモリに格納されている。なお、このメモリは、行、列制御回路１１、１２の内部メモリとして設けられてもよい。【０１１４】  ステップＳ１１４において、書換制御部２１９は、ＢＤ２０の検出を示すメッセージを表示する。たとえば書換制御部２１９は��プログラムＲＯＭ２１０に格納されたメッセージデータを読み出し、グラフィック制御部２０７に指示して、そのデータに基づいて「電子ペーパー付きＢｌｕ−ｒａｙディスクを検出しました」というメッセージをＴＶに表示させる。さらに書換制御部２１９は、ＢＤ２０の属性情報に基づいてディスク直径等に関するメッセージを表示させてもよい。
４．レコーダ１００の動作に応じた電子ペーパーの表示の更新【０１１５】  レコーダ１００は種々の動作を実行しながら、各動作に応じて電子ペーパーの表示を更新する。そこで、以下の項目（４−１）〜（４−６）において、レコーダ１００の動作に関連する電子ペーパーの表示更新処理を説明する。なお、１台のレコーダ１００が後述するすべての処理を行わなくてもよく、少なくとも１つの表示更新処理を行えばよい。下記項目（４−１）〜（４−６）は、それぞれが本発明による装置の実施形態である。
（４−１）コンテンツ記録時の電子ペーパーの表示更新処理【０１１６】  本実施形態においては、電子ペーパーを備えたＢＤ２０５ａ（ＢＤ２０）はデータを書き込み可能なＢＤ−ＲディスクやＢＤ−ＲＥディスクであるとする。【０１１７】  まず、図１２を参照しながら表示内容の書き換え例を示し、その後、図１３を参照しながらレコーダ１００による書き換え処理を説明する。【０１１８】  図１２は、電子ペーパーの表示内容の変化を示す。図１２では、記載を簡単にするため、電子ペーパー１０はＢＤ２０の一方の面の全てを覆うように記載されている。以下の図でも同様である。【０１１９】  レコーダ１００は、ＢＤ２０へのコンテンツの録画に伴って、電子ペーパー１０の表示内容を書き換える。データが書き込まれていない状態では、ＢＤ２０の出荷時のメーカー情報３０が保持されている。【０１２０】  そして、ＢＤ２０にドラマが録画された後には、書換制御部２１９は、録画番号とともに、その番組のジャンルおよびタイトルを含む情報３１に書き換える。ユーザはＢＤ２０を取り出した後、電子ペーパーの表示内容３１をいつでも確認できるので、何の番組を録画したかを容易に把握できる。【０１２１】  図１３は、コンテンツ記録時の電子ペーパーの更新処理の手順を示す。ステップＳ１３０において、レコーダ１００は、図１１の処理によってＢＤ２０の装填を検出する。【０１２２】  ステップＳ１３１において、ＴＳ処理部２０４は、ＢＤ２０に管理情報が記録されているか否かを判定する。管理情報とは、例えば後述する図１６に示す管理ファイル８２、プレイリストファイル８３、クリップ情報ファイル８４内の情報である。管理情報が記録されているときはステップＳ１３２に進み、記録されていないときはステップＳ１３３に進む。【０１２３】  ステップＳ１３２において、ＴＳ処理部２０４は、ＢＤ２０から管理情報を読み出してＲＡＭ２１２に格納する。その後、ステップＳ１３３において、ユーザから録画指示を受け取る。【０１２４】  ステップＳ１３４において、ＲＡＭ２１２に管理情報が存在するか否かを判定する。管理情報が存在すればステップＳ１３５に進み、存在しなければステップＳ１３６に進む。なお、ＢＤ２０にコンテンツデータが初めて書き込まれるときは、ＢＤ２０上にもＲＡＭ２１２上にも管理情報は存在しない。よってステップＳ１３６に進む。【０１２５】  ステップＳ１３５において、録画指示に基づいてＴＳ処理部２０４はＢＤ２０への番組データ（コンテンツデータ）の書き込みを開始し、その番組の管理情報をＲＡＭ２１２上の管理情報に追記する。「その番組の管理情報」は、トランスポートストリームのＰＳＩ／ＳＩパケットに記述された番組名等の情報である。その後処理はステップＳ１３７に進む。【０１２６】  ステップＳ１３６においては、録画指示に基づいてＴＳ処理部２０４はＢＤ２０へのコンテンツデータの書き込みを開始し、そのコンテンツの管理情報をＲＡＭ２１２上に生成する。【０１２７】  ステップＳ１３７において、ＴＳ処理部２０４は、コンテンツデータの書き込み完了後、さらにＲＡＭ２１２上の管理情報をＢＤ２０に書き込む。【０１２８】  次のステップＳ１３８において、書換制御部２１９は、���ＡＭ２１２上の管理情報に基づいて、ＢＤに記録されたコンテンツのタイトルと番号の組を電子ペーパーに書き込む。これにより、表示内容が更新される。なお、電子ペーパーの表示内容を更新するタイミングは、録画終了直後であってもよいし、録画が終了した後、初めてＢＤ２０がイジェクトされる時であってもよい。【０１２９】  なお、図１２に示す例ではコンテンツの記録に伴って電子ペーパーの表示を追加している。一方、ユーザによってコンテンツのデータが削除されることがある。このときも電子ペーパーの表示内容は更新される。削除されたコンテンツの管理情報は削除されるため、対応するコンテンツの表示は電子ペーパー上から削除される。書換制御部２１９は、存在するコンテンツの番号を付しなおして電子ペーパー１０の表示内容を更新する。
（４−２）コンテンツ再生時の電子ペーパーの表示更新処理【０１３０】  本実施形態においては、電子ペーパーを備えたＢＤ２０５ａ（ＢＤ２０）はデータを書き換え可能なＢＤ−ＲＥディスクであるとする。【０１３１】  まず、図１４を参照しながら表示内容の書き換え例を示し、その後、図１５を参照しながらレコーダ１００による書き換え処理を説明する。【０１３２】  図１４は、電子ペーパーの表示内容の変化を示す。レコーダ１００は、ＢＤ２０に記録されたコンテンツの再生終了に伴って、電子ペーパー１０の表示内容を書き換える。【０１３３】  まず、ＢＤ２０の電子ペーパーには少なくとも１つのコンテンツが記録されているとする。図１４は、３つのコンテンツ（ドラマ、野球および映画の各番組）が記録されていることを示している。各コンテンツに関する情報は、図１２および図１３を参照しながら説明した方法で電子ペーパーに書き込まれる。ここではさらに、電子ペーパーには視聴済みか否かを示すチェックボックス３２も付加されている。図示される例では、チェックボックス３２にはチェックマークが存在しないため、いずれのコンテンツも未視聴である。【０１３４】  いま、ユーザが映画を視聴し終えたとする。すると書換制御部２１９は、映画のコンテンツに対応するチェックボックスにチェックマーク３３が記述された表示内容に書き換える。【０１３５】  後述のように、ＢＤ−ＲＥディスクでは記録されたコンテンツが視聴されたか否かを示すフラグが管理情報として記録されている。そのフラグを参照することにより、視聴済みのコンテンツの表示にはチェックマーク３３を付加すればよい。電子ペーパーの表示を確認することにより、ユーザはＢＤ２０をレコーダ１００に装填しなくても、視聴済みのコンテンツと未視聴のコンテンツとを簡単に識別できる。よってユーザの利便性を著しく向上させることができる。【０１３６】  図１５は、コンテンツ再生時の電子ペーパーの更新処理の手順を示す。【０１３７】  ステップＳ１５０において、書換制御部２１９は、図１１の処理によってＢＤ２０の装填を検出する。次のステップＳ１５１において、ＴＳ処理部２０４はＢＤから管理情報を読み出してＲＡＭ２１２に格納する。管理情報の存在によって、ＣＰＵ２１１はコンテンツが記録されていることを認識できる。【０１３８】  ステップＳ１５２において、レコーダ１００のＣＰＵ２１１は、ＴＳ処理部２０４、デコーダ２０６、グラフィック制御部２０７およびＤＡＣ２０９を動作させて、ＢＤ２０に記録されたコンテンツを再生する。なおＣＰＵ２１１は、指示受信部２１５を介して受け取ったユーザからの指示に基づいて再生を開始する。【０１３９】  ステップＳ１５３において、ＣＰＵ２１１は再生が完了したか否かを判定する。再生が完了していない場合には完了するまで再生を継続する。再生が完了した場合にはステップＳ１５４に進む。【０１４０】  ステップＳ１５４において、ＣＰＵ２１１は、そのコンテンツの管理情報に含まれる再生済フラグに「１」を設定する。再生済フラグを含むデータ構造は後述する。ステップＳ１５５において、ＣＰＵ２１１は、ＲＡＭ２１２上に保持された管理情報をＢＤ２０に書き込む。【０１４１】  ステップＳ１５６において、書換制御部２１９は、ＲＡＭ２１２上の管理情報に基づいて、ＢＤに記録されたコンテンツのタイトルと番号の組、および、各コンテンツが視聴済みか否かを示すパターンを電子ペーパーに書き込む。図１４に示すように、再生済フラグに「１」が設定されたコンテンツに対してはチェックマーク３３が付されたチェックボックスが表示され、再生済フラグに「０」が設定されたコンテンツに対してはチェックマーク３３が付されないチェックボックスが表示される。【０１４２】  次に、図１６〜図１８を参照しながら、上述の処理を実現するためのＢＤ２０のデータ構造を説明する。なお、当該データ構造は、ＢＤに電子ペーパーが備えられているか否かには依存しない。したがって、以下ではより一般的なＢＤ２０５ａとして説明する。【０１４３】  図１６は、ＢＤ２０５ａの記録領域と、そのディレクトリ／ファイル構造を示す。ＢＤ２０５ａは、ギャザード・ファイル領域８１−１とリアルタイム・データ領域８１−２とを有する。ギャザード・ファイル領域８１−１の記録容量は数百メガバイトである。ギャザード・ファイル領域８１−１には、クリップＡＶストリームの再生等を管理する管理情報のファイル（データベースファイル）が記録される。【０１４４】  図１６に示すように、データベースファイルは複数種類存在しており、例えば管理ファイル８２（Ｉｎｆｏ．ｂｄａｖ）、プレイリストファイル８３（０１００１．ｒｐｌｓ、１００００．ｖｐｌｓ）、クリップ情報ファイル８４（０１０００．ｃｌｐｉ）が存在する。これらはアクセスされる頻度が高い。よって、ギャザード・ファイル領域８１−１は効率的にアクセスが可能な、ＢＤ２０５ａの記録領域の中間部に設けられている。【０１４５】  一方、リアルタイム・データ領域８１−２の記録容量は片面単層のＢｌｕ−ｒａｙディスクであれば２３〜２７ギガバイトである。リアルタイム・データ領域８１−２には、クリップＡＶストリームのストリームファイルが記録される。例えばクリップＡＶストリームファイル８５（０１０００．ｍ２ｔｓ）が記録される。【０１４６】  上述の管理ファイル８２、プレイリストファイル８３、クリップ情報ファイル８４およびクリップＡＶストリームファイル８５は、ＢＤＡＶディレクトリ下に格納される。それらの相互の関係は以下のとおりである。図１７（ａ）〜（ｄ）は、管理情報とストリームデータとの関係を示す。図１７（ａ）〜（ｃ）が管理情報であり、図１７（ｄ）がストリームデータである。図１７（ａ）は管理ファイル８２（Ｉｎｆｏ．ｂｄａｖ）に記述されるプレイリストのテーブルを示す。すなわち、管理ファイル８２には、ＢＤ２０５ａ上に存在するプレイリストを特定するプレイリストファイル名のテーブルが格納されている。ここで「プレイリスト」とは、１以上のクリップＡＶストリームの一部または全部に跨る再生経路を規定した情報である。【０１４７】  図１７（ｂ）は、プレイリストファイル８３（拡張子：ｒｐｌｓ／ｖｐｌｓ）に記述されるプレイリストを示す。プレイリストは、リアルプレイリストおよびバーチャルプレイリストに分類できる。リアルプレイリストは、例えば初めてストリームデータが記録されたときにレコーダ１００によって生成されるプレイリストであり、再生経路として動画の最初から最後までが指定される。一方、バーチャルプレイリストは、記録されたストリームデータに対してユーザが設定したプレイリストであり、ユーザの希望する任意の位置および区間が指定される。【０１４８】  プレイリストの各区間は、プレイリスト内の各プレイアイテムにおいて規定される。すなわち、プレイアイテムには、再生開始位置に対応する開始時刻（Ｉｎ＿ｔｉｍｅ）および再生終了位置に対応する終了時刻（Ｏｕｔ＿ｔｉｍｅ）が記述される。開始時刻および終了時刻は、映像のフレームの再生表示時刻や音声のフレームの再生出力時刻を特定するプレゼンテーションタイムスタンプ（ＰＴＳ）によって記述される。通常、記録直後のリアルプレイリストではプレイアイテムは１つだけ設けられ、動画の最初と最後の時刻が指定される。一方、バーチャルプレイリストではプレイアイテムの数は任意である。１つのバーチャルプレイリストに複数のプレイアイテムを設け、各プレイアイテムが異なる動画ストリームを指定するように記述することもできる。【０１４９】  図１７（ｃ）はクリップ情報ファイル（拡張子：ｃｌｐｉ）に記述される時間・アドレス変換テーブル（ＥＰ＿ｍａｐ）を示す。変換テーブル（ＥＰ＿ｍａｐ）８４は、クリップＡＶストリームの再生時刻と、その時刻に再生されるデータが格納されたアドレスとを対応付けたテーブルである。この変換テーブル８４を利用することにより、プレイアイテムにおいて指定される開始時刻（Ｉｎ＿ｔｉｍｅ）および終了時刻（Ｏｕｔ＿ｔｉｍｅ）から、その時刻に再生すべきデータが格納されたクリップＡＶストリームにおけるアドレスを特定することができる。【０１５０】  図１７（ｄ）は、クリップＡＶストリームファイル８５（拡張子：ｍ２ｔｓ）に格納される動画ストリームを示す。この図では、ファイル“０１０００．ｍ２ｔｓ”および“０２０００．ｍ２ｔｓ”の各々がクリップＡＶストリームファイルである。【０１５１】  図１７（ｃ）および（ｄ）に示すように、ＢＤ２０５ａ上では、１つのクリップＡＶストリームファイルに対して１つのクリップ情報ファイルが設けられる。以下では、クリップＡＶストリームファイルと、クリップ情報ファイルの対を、クリップ（Ｃｌｉｐ）と称する。【０１５２】  図１８は、プレイリストファイル８３に格納される情報（エントリ）およびそのデータ構造を示す。拡張子“ｒｐｌｓ”および“ｖｐｌｓ”ファイル８３内には、ＵＩＡｐｐＩｎｆｏＰｌａｙＬｉｓｔ（）、ＰｌａｙＬｉｓｔ（）等のエントリが複数存在する。【０１５３】  ＵＩＡｐｐＩｎｆｏＰｌａｙＬｉｓｔ（）は、再生保護フラグフィールド８３−１、再生済フラグフィールド８３−２、記録日時情報フィールド８３−３等を含んでいる。このうち、再生済フラグフィールド８３−２の値が、対応するコンテンツの再生後に「１」に設定される。再生保護フラグフィールド８３−１および記録日時情報フィールド８３−３を利用する態様は後述する。【０１５４】  拡張子“ｒｐｌｓ”ファイルは、各コンテンツのクリップＡＶストリームファイルに対応して設けられるため、再生済フラグ８３−２もコンテンツごとに規定される。【０１５５】  ��ｌａｙＬｉｓｔ（）は上述の「プレイリスト」に対応する。プレイリスト情報（ＰｌａｙＬｉｓｔ）の下位には、プレイアイテム（ＰｌａｙＩｔｅｍ）１、２・・・が記述される。各プレイアイテムには再生対象となるクリップ情報ファイルのファイル名（Ｃｌｉｐ＿Ｉｎｆｏｒｍａｔｉｏｎ＿ｆｉｌｅ＿ｎａｍｅ）、ＳＴＣを特定するための識別子（ｒｅｆ＿ｔｏ＿ＳＴＣ＿ｉｄ）、開始時刻（Ｉｎ＿ｔｉｍｅ）、終了時刻（Ｏｕｔ＿ｔｉｍｅ）等が格納される。
（４−３）記録されたコンテンツのタイトルＩＤを利用した電子ペーパーの表示更新処理【０１５６】  本実施形態においては、電子ペーパーを備えたＢＤ２０５ａ（ＢＤ２０）は、一度だけデータを書き込み可能なＢＤ−Ｒディスクであるとする。ＢＤ−Ｒディスクには、再生専用のフォーマットでデータが書き込まれる。【０１５７】  まず図１９〜図２１を参照しながら、コンテンツの記録に関連する電子ペーパーの表示内容の書き換え例およびディスクのデータ構造を説明する。その後、図２２を参照しながら電子ペーパーの表示内容を利用したコンテンツの再生処理を説明する。【０１５８】  図１９は、複数枚のＤＶＤに記録されたコンテンツを１枚のＢＤ２０にまとめて保存するときのコンテンツの流れと、ＢＤ２０上の電子ペーパーの表示内容を示す。【０１５９】  従来から、撮影した動画のデータをＤＶＤに記録するカムコーダの普及が進んでいるため、多くのＤＶＤに動画が撮りためられていると考えられる。特に、記録層が１層のＤＶＤの記録可能容量は１．４６ＧＢ程度であるため、子供の入学式の映像、運動会の映像等が複数枚のＤＶＤに分散していることも考えられる。そしてユーザは動画管理のため、各ＤＶＤのラベルに撮影日時やタイトルを書き込み、またはそのようなラベルを作成して貼り付けていることがほとんどである。【０１６０】  一方、たとえば記録層が４層のＢＤ２０の記録可能容量は１００ＧＢであり、前述のＤＶＤの約６８枚分に相当する。動画管理上、ユーザが各ＤＶＤのラベルを作成して多数のＤＶＤを保管するよりは、１枚のＢＤ２０にまとめて保存し、かつ保存されている動画の情報をレコーダ１００によって電子ペーパーに表示させる方が、はるかにユーザの利便性は高いといえる。【０１６１】  そこで図１９に示すように、レコーダ１００を利用すると、ユーザはＤＶＤに書き込まれた子供の入学式や運動会等の録画データをＨＤＤ２０５ｂに一旦コピーまたは移動し、取捨選択したデータを希望する順序で、ＢＤ２０に書き込むことができる。【０１６２】  コンテンツの書き込み後は、レコーダ１００の書換制御部２１９が、コンテンツ番号３４−１、録画年月３４−２およびコンテンツ名３４−３の情報をＢＤ２０の電子ペーパーに書き込む。【０１６３】  電子ペーパーに表示された内容を詳しく説明する。コンテンツ番号３４−１は、たとえば録画開始から終了までの１回の録画操作によって撮影された動画を１つのコンテンツとしたときに、各コンテンツを固有に識別する番号に対応する。図１９ではコンテンツ番号３４−１は「タイトル１〜１６」と示されている。これは、入学式の撮影が１６回に亘って行われたことを意味し、その結果１６のコンテンツを含んでいることを意味している。ＤＶＤでは、撮影されたデータごとに異なるＭＰＥＧ２プログラムストリームファイルが生成され、管理されているため、そのファイルごとにコンテンツを特定し、かつ固有の識別番号を付することができる。【０１６４】  録画年月３４−２は、コンテンツが録画された年および月を示す。これらは、たとえばＭＰＥＧ２プログラムストリームファイルが生成された日時の情報に基づいて特定され、書き込まれる。または、規格として定められているＤＶＤの管理情報の中には録画日時の情報が含まれているため、その情報に基づいて特定され、書き込まれる。なお、より詳細な録画された日時の情報を含めてもよい。コンテンツ名３４−３は、ユーザが任意で付することができる名称であり、例として「入学式」と明示されている。【０１６５】  表示内容３４−１から３４−３を参照すれば、ユーザは、いつ撮影された何の映像が、いくつのカットで保存されているかを容易に判断できる。【０１６６】  ここで留意すべきは、レコーダ１００のＣＰＵ２１１は、コンテンツ番号３４−１として表示されている各番号を利用して、各コンテンツの管理情報を生成していることである。たとえば、コンテンツ番号「１０」が付されたコンテンツは、管理情報のタイトルＩＤが「１０」に設定される。タイトルＩＤは、各コンテンツに付されるコンテンツ固有の識別情報である。このように動作する利点は、ユーザがコンテンツ番号「１０」のタイトルの再生を希望して、リモコン等から「１０」を入力すると、レコーダ１００はその番号をそのまま利用して管理情報を検索し、その番号に対応するコンテンツを再生できることである。対応するコンテンツの管理情報を探し出すために複雑な演算をする必要がないため、ＣＰＵ２１１の処理負荷は非常に小さいといえる。【０１６７】  図２０は、ＢＤ−Ｒの記録領域と、再生専用のフォーマットによるディレクトリ／ファイル構造を示す。【０１６８】  ＢＤ−Ｒディスクの記録領域およびそのディレクトリ／ファイル構造は、多くの点で、図１６に示すＢＤ−ＲＥディスクの記録領域およびその記録型フォーマットによるディレクトリ／ファイル構造と共通する。以下では、共通する点には同じ参照符号を付してその説明は省略する。【０１６９】  ＢＤ−Ｒでは、管理ファイル９２、プレイリストファイル８３、クリップ情報ファイル８４およびクリップＡＶストリームファイル８５は、ＢＤＭＶディレクトリ下に格納される。これらの関係もまた、図１７に示すとおりである。【０１７０】  ただし、管理ファイル９２（Ｉｎｄｅｘ．ＢＤＭＶ）には、タイトルＩＤとそのタイトルＩＤに対応するファイル名が記述される。図２１は、管理ファイル９２のデータ構造の一部を示す。管理ファイル９２に含まれるエントリ９３（Ｉｎｄｅｘｅｓ（））には、ＢＤ２０５ａに格納されたコンテンツのタイトル数を特定するエントリ（ｎｕｍｂｅｒ＿ｏｆ＿Ｔｉｔｌｅｓ）が存在する。このエントリは、タイトルＩＤフィールド９４およびファイル名フィールド９５を有している。【０１７１】  タイトルＩＤフィールド９４には、記録されたコンテンツに対応するタイトルＩＤが記述されている。タイトルＩＤは、たとえば「１」、「２」等の数字である。一方、ファイル名フィールド９５には、そのタイトルＩＤが割り当てられたコンテンツのファイル名が記述される。【０１７２】  コンテンツの記録ごとに、各コンテンツのタイトルＩＤやそのファイル名が対応付けられ、管理ファイル９２が更新される。なお、管理ファイル９２の書き込みタイミングは、全コンテンツデータの書き込みが完了した後に行われてもよいし、各コンテンツデータの書き込み完了後に、逐次行われてもよい。管理ファイル９２の書き込みが完全に終了する��では、管理ファイル９２は少なくともＲＡＭ２１２に保持され、ＲＡＭ２１２上で更新される。【０１７３】  書換制御部２１９は、ＲＡＭ２１２の管理ファイル９２に基づいて、コンテンツ名とともに、そのコンテンツのタイトルＩＤをＢＤ２０上の電子ペーパーに表示する。【０１７４】  図２２は、電子ペーパーに表示されたタイトルＩＤに基づくコンテンツの再生処理の手順を示す。【０１７５】  まずステップＳ２００において、指示受信部２１５はユーザからコンテンツ番号の指定を受け取る。ユーザは電子ペーパーの表示内容を参照して、コンテンツ番号を指定することができる。【０１７６】  次のステップＳ２０１において、ＣＰＵ２１１は、指定されたコンテンツ番号をそのまま検索キーとして用いて、管理ファイル９２中のｎｕｍｂｅｒ＿ｏｆ＿Ｔｉｔｌｅｓエントリ内のタイトルＩＤを検索する。そしてステップＳ２０２において、コンテンツ番号と一致するタイトルＩＤが存在するか否かを判定する。存在する場合には処理はステップＳ２０３に進み、存在しない場合にはコンテンツを再生することなく処理は終了する。【０１７７】  ステップＳ２０３においては、ＣＰＵ２１１は、そのタイトルＩＤに関連付けられたファイル名を特定する。そして、ＴＳ処理部２０４に対してＢＤ２０からそのファイルを読み出すよう指示する。なお図２０から明らかなように、クリップＡＶストリームファイルが格納されるディレクトリは定められているため、ファイル名を特定できればその格納位置も同時に特定される。【０１７８】  ＣＰＵ２１１は、ＴＳ処理部２０４、デコーダ２０６、グラフィック制御部２０７およびＤＡＣ２０９を動作させて、ＢＤ２０に記録されたコンテンツを再生する。その後、処理は終了する。【０１７９】  上述の処理は、コンテンツの再生に関する例であるが、他にはコピー時や編集時にコンテンツを特定するために利用されてもよい。【０１８０】  なお、上述の説明では、管理ファイル中のタイトルＩＤと同じ番号を電子ペーパー上に表示させるとしたが、設計上の変更は適宜可能である。たとえば、コンテンツ番号を（タイトルＩＤ＋１）などとしてもよい。この場合でも、複雑な演算をする必要がないため同様の効果が得られる。【０１８１】  上述の説明では、タイトルＩＤとコンテンツの表示番号とを対応付けたが、これは例である。他には、タイトルＩＤと子供の生後日数とを対応付けてもよい。たとえば子供の誕生日を登録しておけば、コンテンツの記録日時の情報に基づいて生後日数が特定される。そこで、子供の生後日数の値をそのコンテンツのタイトルＩＤとして割り当てればよい。
（４−４）ロックド・コンテンツ認証時の電子ペーパーの表示更新処理【０１８２】  本実施形態においては、電子ペーパーを備えたＢＤ２０５ａ（ＢＤ２０）は、ＢＤ−ＲＯＭディスクであるとする。ただし、ユーザへの配布時においてコンテンツが記録されたＢＤ−ＲＯＭディスクのみならず、ユーザによってコンテンツが再生専用フォーマットで記録されたＢＤ−Ｒディスクも含む。【０１８３】  本項目においては、ＢＤ２０には、料金の支払いによって視聴の認証を受けなければ視聴できないコンテンツが記録されている。このときＢＤ２０の電子ペーパーには、料金が支払われて視聴可能なコンテンツ（購入・認証済コンテンツ）と、料金が未払いのため視聴不可能なコンテンツ（未購入コンテンツまたはロックド・コンテンツ）とが、電子ペーパー上で異なる態様で表示される。視聴不可能なコンテンツに対して料金が支払われているときには、レコーダ１００は電子ペーパーを書き換え、そのコンテンツの情報を視聴可能なコンテンツの態様で表示する。【０１８４】  このようなＢＤ２０は、たとえばコンテンツ提供者から配布される。すなわちコンテンツ提供者は、複数の映画のコンテンツをロックド・コンテンツとして記録しておき、そのＢＤ２０をユーザに配布する。または、コンテンツ提供者は、映画のコンテンツをロックド・コンテンツとして記録するための記録装置を、ＤＶＤ／ＢＤストア等に設置しておく。ユーザは自己のブランクＢＤ２０を店頭に持参し、複数の映画のコンテンツを選択してロックド・コンテンツとして記録する。【０１８５】  ユーザは視聴したい映画のみに対して料金を支払い、自宅のレコーダ１００等において上述の処理による視聴の認証を受ける。これにより、ユーザはその映画を楽しむことができる。視聴できるコンテンツはＢＤ２０の電子ペーパーに識別可能に表示されているため、ユーザはどのコンテンツが視聴可能かを、いつでも確認できる。【０１８６】  図２３は、未購入コンテンツに料金を支払ったときの、電子ペーパーの表示内容の変化を示す。【０１８７】  ＢＤ２０には、当初、２つの購入・認証済コンテンツ３５と、２つの未購入コンテンツ３６とが記録されている。各コンテンツには順に番号が付されている。以下では、番号１および２の映画コンテンツを購入・認証済コンテンツ３５とし、番号３および４の映画コンテンツを未購入コンテンツ３６として説明する。【０１８８】  購入・認証済コンテンツ３５のジャンルおよびタイトルは、黒色の実線で明確に表示されている。一方の未購入コンテンツ３６のジャンルおよびタイトルは、黒色の実線とは異なる態様、たとえば点線や、より淡い濃度（グレー）で表示される。または、未購入コンテンツである旨のメッセージを黒色の実線で表示してもよい。電子ペーパー上の表示態様が明らかに異なっているため、または、文字列によってそのコンテンツの状態が明確に認識できるため、ユーザは、どのコンテンツが視聴可能か、またどのコンテンツが視聴不可能かを一見して判断できる。【０１８９】  ここで、たとえば番号３のコンテンツに対して料金を支払い、視聴の認証を受けるとする。レコーダ１００の書換制御部２１９は、番号３のコンテンツの情報が実線で表示されるよう、電子��ーパーを書き換える。【０１９０】  図２４は、ロックド・コンテンツの認証処理および電子ペーパーの更新処理の手順を示す。まずステップＳ２４０において、レコーダ１００は、図１１の処理によってＢＤ２０の装填を検出する。次のステップＳ２４１において、ＴＳ処理部２０４はＢＤから管理情報を読み出してＲＡＭ２１２に格納する。管理情報の存在によって、ＣＰＵ２１１はコンテンツが記録されていることを認識できる。なお、ＢＤには著作権保護規格としてＡＡＣＳが規定されており、各コンテンツの著作権保護に関する管理情報を格納する専用ファイルがＢＤ上に記録されている。ロックド・コンテンツに関する管理情報も、その専用ファイルに格納されている。したがって、その専用ファイルに基づいて、ＣＰＵ２１１はロックド・コンテンツの存在を認識できる。なお、ＢＤ２０のプレイリストファイル８３に記述されるロックド・コンテンツの管理情報（図１８のプレイリストファイル８３）の再生保護フラグフィールド８３−１に再生を制限するフラグ値を設定することにより、ＣＰＵ２１１がロックド・コンテンツの存在を認識できるようにしてもよい。【０１９１】  ステップＳ２４２において、指示受信部２１５は、ユーザからロックド・コンテンツの認証要求を受け取る。【０１９２】  ステップＳ２４３において、ＣＰＵ２１１は、ユーザに対し、料金支払いの有無を示す課金情報の入力を求める。課金情報とは、コンテンツに対する料金の支払いが完了しているか否かを示す情報であり、たとえばコンテンツに対する料金の支払いが完了しているユーザにのみ配布される認証キーのキー番号である。【０１９３】  ステップＳ２４４において、ユーザからの課金情報の受信に応答して、ＣＰＵ２１１は料金の支払いが完了しているか否かを判定する。たとえば管理情報に予めキー番号を記述しておき、入力された課金情報がそのキー番号と一致するか否かを判定すればよい。一致すれば支払いが完了していると判断して視聴を認証し、ステップＳ２４５に進む。一方、一致しなければ支払いが完了していないと判断して視聴を認証せず、ステップＳ２４３の処理に戻る。そしてＣＰＵ２１１はユーザに再度課金情報の入力を求める。【０１９４】  ステップＳ２４５において、書換制御部２１９は、電子ペーパーの表示内容を更新して、視聴が認証されたコンテンツに関する情報を実線表示する。これにより、処理は終了する。コンテンツの視聴認証および電子ペーパーの更新処理終了後、そのコンテンツが再生される。【０１９５】  なお、上述のステップＳ２４３およびＳ２４４においては、ＣＰＵ２１１はユーザに対して課金情報の入力を求め、その課金情報に基づいて料金の支払いの有無を判断した。しかし、他の方法を採用することもできる。【０１９６】  たとえば、ＣＰＵ２１１は、ユーザに識別情報の入力を求める。識別情報とはユーザ名や、予め配布されたユーザＩＤ等である。そしてＣＰＵ２１１はネットワーク制御部２１４を介して、ネットワーク１０１に接続されたコンテンツ提供者のサーバ（図示せず）にアクセスし課金情報を取得する。【０１９７】  ユーザが料金の支払いを完了している場合には、その識別情報に対応付けて支払済みであることを示す課金情報が���録されている。ユーザが料金の支払いを完了していない場合には、その識別情報に対応付けて支払いがされていないことを示す課金情報が登録されている。ＣＰＵ２１１は、この課金情報に基づいて、料金の支払いの有無を判断することができる。【０１９８】  なお、表示されるコンテンツの情報は任意であり、サムネイル画像等であってもよい。電子ペーパー上には購入・認証済コンテンツ３５の情報のみが表示され、未購入コンテンツ３６の情報は表示されないとしてもよい。ＢＤ２０をレコーダ１００に装填したときに初めて未購入コンテンツ３６の情報を表示し、レコーダ１００を介して購入および認証手続きを行えばよい。【０１９９】  また、シリーズの映画のコンテンツ１〜３が記録されている場合において、ユーザがコンテンツ１の視聴の認証を受けた後は、そのコンテンツ１の情報を明確に表示するとともに、続編２および３が存在することを示す情報、たとえば続編２および３のサムネイル画像やそのタイトルイメージを表示してもよい。【０２００】  さらに、映画の字幕をコンテンツとして購入することもできる。たとえば日本語字幕がコンテンツとして予めＢＤ２０に記録されているとする。ユーザが日本語字幕コンテンツを購入し視聴の認証を受けたときには、「日本語字幕」の文字を電子ペーパー上に実線表示すればよい。一方、日本語字幕がコンテンツとして予めＢＤ２０に記録されていない場合であっても、たとえばレコーダ１００のＨＤＤ２０５ｂに日本語字幕のデータを購入してダウンロードすることができる。このときも同様に、「日本語字幕」の文字や、ダウンロードした機器名を電子ペーパー上に実線表示すればよい。【０２０１】  課金の仕方もまた、種々考えることができる。たとえばユーザが自己のブランクＢＤ２０を店頭に持参しロックド・コンテンツを記録したときには、支払額を低額にしてもよい。特に、電子ペーパーが付属している場合にはより低額にすることもできる。さらに、上述の処理は、コンテンツのコピーが課金の有無によって管理される場合においても適用できる。コピーの認証を受けているときには、黒の実線で表示し、認証を受けていないときにはグレーの破線または認証を受けていない旨を示す文字（黒の実線）で表示する、等である。【０２０２】  上述の処理においては、課金の有無で定まるコンテンツの種類ごとに、電子ペーパーの表示態様を変化させた。しかし、コンテンツの再生可能な時期に応じて電子ペーパーの表示態様を変化させてもよい。以下、図２５（ａ）〜（ｄ）を参照しながら、コンテンツの再生可能な時期に応じた表示態様の変化を説明する。【０２０３】  まず、図２５（ａ）は、コンテンツの再生可能な時期に依存しないコンテンツの表示例である。ＢＤ２０には、ドラマの第１話〜第４話の各コンテンツが記録されている。図２５（ｂ）〜（ｄ）に示すＢＤ２０にも同じ第１話〜第４話の各コンテンツが記録されているとする。【０２０４】  図２５（ｂ）〜（ｄ）は、再生可能なコンテンツの情報３７、および、再生不可能なコンテンツの情報３８を示す複数の例である。図２５（ｂ）は、第１話のみが５／１〜５／１６までの期間中再生可能であることを示している。第２話〜第４話は、その期間中は再生不可能��ある。このような制御は、たとえば、このドラマがテレビ放送とともにＢＤ２０で配布されている場合に必要となる。各話が放送されるよりも先にＢＤ２０で再生されないようにするためである。図２５（ｃ）および（ｄ）についても同様に、期間に応じて再生可能なコンテンツの情報がそれぞれ表示される。【０２０５】  各コンテンツ再生可能期間は、たとえば各コンテンツの著作権保護に関する管理情報を格納する専用ファイルに記述されている。再生機器はその専用ファイルを参照することにより、各コンテンツが再生可能か否かを判断することができる。なお、専用ファイルに特定のサーバのネットワークアドレスを記述してもよい。再生機器がそのアドレスのサーバに対して当該コンテンツが再生可能か否かを問い合わせて、再生許可の応答を受けると再生を行い、再生不許可または応答を受けられない場合には再生を行わないように動作すればよい。
（４−５）ディスクフォーマット処理時の電子ペーパーの表示更新処理【０２０６】  本実施形態においては、電子ペーパーを備えたＢＤ２０５ａ（ＢＤ２０）は、ＢＤ−ＲＥディスクであるとする。【０２０７】  ＢＤ−ＲＥディスクでは、データの書き換えが可能であるため、記録されたコンテンツの視聴後に、そのディスクをフォーマット（初期化）処理してブランクディスクとし、新たなコンテンツを記録することができる。【０２０８】  上記項目（４−１）において説明したように、レコーダ１００は、記録されたコンテンツに関連して電子ペーパーの表示内容を書き換える。フォーマット処理後はコンテンツが記録されていないため、電子ペーパー１０にどのような情報を表示するか、および、表示するための情報をどのように取得するかが問題となる。【０２０９】  図２６は、ＢＤ２０をフォーマット処理したときの電子ペーパーの表示内容の変化を示す。フォーマット前の電子ペーパーには、記録されたコンテンツに関する種々の情報３９が表示されている。フォーマット処理後は、メーカーの宣伝・広告の情報４０が表示されている。なお、フォーマット処理とは、ＢＤ２０を構成するＢＤ２０５ａのデータ領域（図５（ａ））に存在するデータを消去することをいう。【０２１０】  図２７（ａ）は、電子ペーパーの内蔵ＲＯＭ１７を示す。内蔵ＲＯＭ１７は、制御回路１１および１２から読み出し可能に接続されており、かつ、ＢＤ２０のフォーマット処理後に電子ペーパーに表示するためのイメージデータを格納している。制御回路１１および１２は、フォーマット処理後にそのイメージデータを読み出して、電子ペーパーに表示する。【０２１１】  図２７（ｂ）は、ＢＤ２０を構成するＢＤ２０５ａのリードイン９６の配置を示す。リードイン９６はＢＤ２０５ａの最内周部分を含む領域であり、ユーザデータ以外のデータが書き込まれる。【０２１２】  リードイン９６は、ディスクにアクセスするために必要なパラメータが格納されたディスク情報領域を含んでいる。このディスク情報領域に、ネットワークアドレスの情報９７が記述されている。このネットワークアドレスは、たとえばインターネット上のディスクメーカーのサーバに割り当てられており、そのサーバが、ＢＤ２０のフォーマット処理後に電子ペーパーに表示するためのイメージデータを格納している。【０２１３】  図２８は、図２７（ａ）の構成を利用したフォーマット時の電子ペーパーの更新処理の手順を示す。【０２１４】  ステップＳ２８０において、レコーダ１００は、図１１の処理によってＢＤ２０の装填を検出する。次のステップＳ２８１において、指示受信部２１５はユーザからＢＤ２０のフォーマット要求を受け取る。ＣＰＵ２１１は、フォーマット要求に応答してＴＳ処理部２０４に指示して、ＢＤ２０のデータ領域をフォーマット処理させる。【０２１５】  ステップＳ２８３において、書換制御部２１９は、電子ペーパーの内蔵ＲＯＭ１７に格納されたイメージデータに基づいて画像を表示するよう、電子ペーパーの制御回路１１および１２に指示する。【０２１６】  図２９は、図２７（ｂ）の構成を利用したフォーマット時の電子ペーパーの更新処理の手順を示す。ステップＳ２９０〜Ｓ２９２は、��れぞれ図２８のステップＳ２８０〜Ｓ２８２であるため、説明は省略する。【０２１７】  ステップＳ２９３において、ＴＳ処理部２０４は、ＢＤのリードインに格納されたネットワークアドレスを読み出す。次のステップＳ２９４において、ＣＰＵ２１１は、ネットワーク制御部２１４を利用してそのネットワークアドレスが割り当てられたサーバにアクセスし、そのサーバからイメージデータを取得する。【０２１８】  そしてステップＳ２９５において、書換制御部２１９は、画像データに基づいて画像を表示するよう、電子ペーパーの制御回路１１および１２に指示する。【０２１９】  以上の図２８または図２９の処理により、フォーマット後のＢＤ２０の電子ペーパーには、そのイメージデータに基づくメーカーの宣伝・広告の情報４０が表示される。
（４−６）複数の表示領域を有する電子ペーパーの領域ごとの表示更新処理【０２２０】  本実施形態においては、電子ペーパーを備えたＢＤ２０５ａ（ＢＤ２０）はデータを書き込み可能なＢＤ−ＲディスクやＢＤ−ＲＥディスクであるとする。【０２２１】  ＢＤ２０の電子ペーパーには、コンテンツの情報を表示する領域と、宣伝を表示する領域とが規定される。各領域は、図１０（ｂ）に示すような物理的に分離された複数の電子ペーパーによって規定されてもよい。または、各領域は、１つの電子ペーパーの表示部１３を、制御回路１１および１２が描き分けられることによって規定されてもよい。以下では後者の構成を説明する。【０２２２】  図３０は、処理に応じて独立して更新される複数の表示領域の表示内容の変化を示す。まずＢＤ２０の電子ペーパーには、コンテンツの情報を表示するレーベル情報領域１０ａと、コンテンツに関連しない情報を表示する領域１０ｂとが規定される。以下では、領域１０ｂは、機器メーカーやディスクメーカー等の宣伝を表示するための宣伝領域１０ｂとして説明する。【０２２３】  図３０では、電子ペーパーの上半分がレーベル情報領域１０ａであり、下半分が宣伝領域１０ｂである。レーベル情報領域１０ａにはデータが存在しないことを示す情報４１（「＜Ｎｏ  ｄａｔａ＞」）が記録される。宣伝領域１０ｂには、メーカーの新製品広告の情報４２が表示されている。【０２２４】  いま、レコーダ１００がドラマのコンテンツを記録する例を考える。レコーダ１００は、上記（４−１）において説明した処理を行い、レーベル情報領域１０ａの表示を更新する。その結果、レーベル情報領域１０ａには、ＢＤに記録されたコンテンツのタイトルと番号の組の情報４１’が表示される。【０２２５】  一方、宣伝領域１０ｂの広告情報４２は変更されず、当初のまま保持される。これは、行制御回路１１または列制御回路１２が、宣伝領域４２のみを通過する各アドレス線１５−１および１５−２に電圧を印加しないことによって実現される。電圧が印加されなければ、そのアドレス線によって駆動される粒子には外部電場が印加されないため、粒子の状態は変化しない。【０２２６】  続いて、ドラマの録画後に、レコーダ１００がネットワーク制御部２１４等を介して広告情報を受け取り、広告の表示を更新する例を考える。レコーダ１００の書換制御部２１９は、ネットワーク制御部２１４を介して受信した広告表示用のデータを受け取り、宣伝領域１０ｂの表示を更新する。その結果、宣伝領域１０ｂには、新たな広告情報４２’が表示される。一方、レーベル情報領域１０ａに表示された情報４１’は変更されない。【０２２７】  なお、広告情報の取得方法は任意である。たとえばネットワーク制御部２１４がメーカーのサーバ（図示せず）に所定のタイミングでアクセスすることによって広告情報を取得してもよいし、メーカーのサーバから配信された広告情報を受信することによって広告情報を取得してもよい。
５．光ディスク装置による電子ペーパー付きＢＤの書き込みタイミングの制御処理【０２２８】  本実施形態においては、電子ペーパーへのデータの書き込みタイミングを説明する。本実施形態による書き込みタイミングの制御は、電子ペーパーのマイクロカプセルに入れられた液体の比重と帯電粒子の比重とが異なる場合に特に有用である。比重が異なると、ディスクの回転に伴う遠心力の影響で表示が崩れる恐れがある。そこでデータの書き込みタイミングが重要となる。【０２２９】  上述のように、電子ペーパーの書き換えは、ディスクが回転していても行うことは可能である。しかし、高速回転中は遠心力の影響が大きく、表示が崩れる恐れがある。そこで、たとえばディスクイジェクト時にディスク回転数が所定数以下になったとの通知をドライブ装置から受けて、書換制御部２１９が電子ペーパーの書き換えを行ってもよい。【０２３０】  一方、ディスクが挿入されたときには、レコーダ１００はデータを読み出すため、ディスクを比較的高速で回転させる。この回転に伴う遠心力で、電子ペーパーの表示が崩れるおそれがある。【０２３１】  そこで、電子ペーパーの表示内容を、たとえばビットマップデータとして、電子ペーパー１０のチップ回路内のメモリに格納しておくことが好ましい。または、ＢＤ−ＲやＢＤ−ＲＥなどの記録型ディスクにおいては、ビットマップデータを記録層に記録しておいてもよい。書換制御部２１９は、ディスクのイジェクト時に回転数が所定数以下になったとき、そのデータに基づいて電子ペーパーの表示内容を再度書き込んでもよい。なお、コンテンツがディスクに追記されたときなどは表示内容を変更する必要が生じるため、書換制御部２１９は、追記したコンテンツに関する情報を含む最新の内容に更新し、その表示内容のビットマップデータを電子ペーパー１０のチップ回路内のメモリに上書きすればよい。【０２３２】  なお、電子ペーパーに書き込むタイミングは、ユーザによってレコーダ１００に設定されてもよいし、レコーダ１００が自ら判断してもよい。【０２３３】  たとえばＢＤ２０の商品説明においてディスクイジェクト時の書き込みが指定されている場合には、ユーザはディスクイジェクト時に電子ペーパーに書き込みを行うよう設定することができる。そしてレコーダ１００は、その設定されたタイミングで電子ペーパー１０の表示内容を更新する。【０２３４】  一方、電子ペーパー上の制御回路１１、１２（図４、図９）、内蔵ＲＯＭ１７（図２７）などに、電子ペーパーへの記録タイミングを指示する情報や電子ペーパーの粒子の比重の情報が格納されていれば、レコーダ１００はその情報に基づいて電子ペーパーに書き込むタイミングを制御できる。たとえば、粒子の比重がしきい値よりも大きい場合には遠心力の影響が大きくなるため、ディスクイジェクト時に電子ペーパーに書き込みを行う。【０２３５】  電子ペーパー１０の表示内容がイジェクト時に更新される場合には、全ての情報が一回で書き換えられる。一方、電子ペーパーの表示内容がイジェクト時に更新されない場合には、たとえばＢＤ２０にコンテンツが記録される度に、電子ペーパーの表示内容が書き換えられる。【０２３６】  なお本明細書においては、電子ペーパーの表示内容の書き換えは、装置が管理情報等からその都度必要な全ての情報を収集して行っていた。しかし、ＢＤ２０５ａが記録可能型のＢＤ−ＲＥディスクやＢＤ−Ｒディスクであれば、電子ペーパーの表示内容を示すデータをデータ領域に記録しておくことが可能である。これにより装置は書き換えごとに全ての情報を収集する必要はなくなり、処理がさらに高速化できる。【０２３７】  さらに本実施形態では、電子ペーパーが接着されたＢＤを例に挙げた。このＢＤに代えてＨＤ−ＤＶＤ、ＤＶＤ、ＣＤ等を利用することもできる。【０２３８】  本発明はさらに、ＨＤＤ内蔵レコーダにおいて、コンテンツをＨＤＤに録画する場合にも応用できる。たとえばレコーダ本体またはレコーダと接続されたテレビに上述した電子ペーパー１０を設け、録画した番組番号と番組名等の組を表示する。このとき、上記項目（４−３）において説明したように、表示された番組番号と管理情報中のタイトルＩＤとを対応付けておく。ユーザは再生したい番組番号に対応するリモコンボタンを押下すれば、その番号に対応する録画番組の再生が開始されるため、簡単な操作で希望する番組を視聴できる。【０２３９】  なお、レコーダ本体またはレコーダと接続されたテレビに電子ペーパを設ける場合には、電子ペーパー１０に赤外線の受信部を設け、携帯電話等の赤外線送信機能を利用して電子ペーパーに任意の情報を書き込めるように構成してもよい。赤外線以外の無線を利用してもよい。
【産業上の利用可能性】
【０２４０】  本発明のディスク装置によれば、非常に簡単な構成で電子ペーパーの表示内容を書き換えることができる。また本発明のデータ処理装置によれば、記録媒体に記録されたコンテンツと密接に関連させて電子ペーパーの表示が制御されるため、記録されたコンテンツの詳細な情報を容易に確認できる。よってユーザの利便性が非常に高い記録媒体を提供できる。
【図１】
2006126640.tif 000002
【図２】
2006126640.tif 000003
【図３】
2006126640.tif 000004
【図４】
2006126640.tif 000005
【図５】
2006126640.tif 000006
【図６】
2006126640.tif 000007
【図７】
2006126640.tif 000008
【図８】
2006126640.tif 000009
【図９】
2006126640.tif 000010
【図１０】
2006126640.tif 000011
【図１１】
2006126640.tif 000012
【図１２】
2006126640.tif 000013
【図１３】
2006126640.tif 000014
【図１４】
2006126640.tif 000015
【図１５】
2006126640.tif 000016
【図１６】
2006126640.tif 000017
【図１７】
2006126640.tif 000018
【図１８】
2006126640.tif 000019
【図１９】
2006126640.tif 000020
【図２０】
2006126640.tif 000021
【図２１】
2006126640.tif 000022
【図２２】
2006126640.tif 000023
【図２３】
2006126640.tif 000024
【図２４】
2006126640.tif 000025
【図２５】
2006126640.tif 000026
【図２６】
2006126640.tif 000027
【図２７】
2006126640.tif 000028
【図２８】
2006126640.tif 000029
【図２９】
2006126640.tif 000030
【図３０】
2006126640.tif 000031
【図３１】
2006126640.tif 000032
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
回転力を発生させるモータと、
ディスクと接触して前記ディスクを固定し、前記回転力によって前記ディスクを回転させる軸受けと、
前記ディスクへの情報の記録および／またはディスクからの情報の再生を行うためのヘッドと
を有するディスク装置であって、前記軸受けは電気信号を出力する少なくとも１つの出力端子を有しており、
前記ディスクが、前記電気信号にしたがって表示内容を書き換え可能な電子ペーパーを備えている場合において、前記少なくとも１つの出力端子は、前記電子ペーパーに電気信号を供給するために前記ディスク上に設けられた少なくとも１つの入力端子と接触する位置に配置されている、ディスク装置。
【請求項２】
前記少なくとも１つの出力端子に対する前記電気信号の供給を制御する制御部をさらに備え、
ディスクが装填されたときは、前記制御部は所定の電気信号に基づいて前記導通の有無を判定する、請求項１に記載のディスク装置。
【請求項３】
前記制御部は前記導通の有無に応じて動作を切り替える、請求項２に記載のディスク装置。
【請求項４】
前記制御部は、表示内容を示すイメージ情報を受け取って、前記電気信号に変換する、請求項１に記載のディスク装置。
【請求項５】
前記少なくとも１つの出力端子は、前記回転軸を中心として円環状に設けられている、請求項１に記載のディスク装置。
【請求項６】
前記少なくとも１つの出力端子は複数存在し、複数の出力端子が前記回転軸を中心として同心円状に設けられている、請求項５に記載のディスク装置。
【手続補正２】
【補正対象書類名】明細書
【補正対象項目名】全文
【補正方法】変更
【補正の内容】
【発明の詳細な説明】
【技術分野】
【０００１】
本発明は、電子ペーパーを備えた記録媒体、および、記録媒体に記録されたコンテンツに関連する情報を電子ペーパーに表示するデータ処理装置に関する。
【背景技術】
【０００２】
近年、デジタルデータを記録するために種々の情報記録媒体が開発され、用いられている。たとえば、データを繰り返し書き換え可能な書き換え型光ディスクや、記録回数が１回に限られている一方、安価である追記型光ディスクが存在する。書き換え型光ディスクの例として、ＤＶＤ−ＲＡＭディスク、ＢＤ−ＲＥ（Ｂｌｕ−ｒａｙ  Ｄｉｓｃ  Ｒｅｗｒｉｔａｂｌｅ）ディスク等がある。また、追記型光ディスク光ディスクの例として、ＤＶＤ−Ｒディスク、ＢＤ−Ｒ（Ｂｌｕ−ｒａｙ  Ｄｉｓｃ  Ｒｅｃｏｒｄａｂｌｅ）ディスク等がある。
【０００３】
このような光ディスクの中には、データを記録する記録層と、レーベル記録層とを持つものがある。レーベル記録層は、光入射側の面から見て記録層の奥側または光入射側の面とは反対側の面に設けられている。レーベル記録層にはレーベル情報が記録される。レーベル情報とは、たとえば録画済み番組などのコンテンツのタイトル（文字や画像）の情報である。
【０００４】
たとえばLightScribe技術では、光入射側の面と反対側の面にレーベル記録層（レーベル記録面）が設けられたディスクを用いる。LightScribe技術に対応した光ディスク装置（例えば、ＤＶＤレコーダ）を用いると、録画済み番組のタイトルなどをレーベル記録面に記録することができる。これにより、ユーザはディスクにどのようなコンテンツが記録されているかを把握しやすい、という利点がある。たとえば特許文献１は、レーベル記録面へのレーザーによる情報の記録（印刷）技術を開示している。
【０００５】
しかしながら、LightScribe技術では、レーベル情報を記録するためにディスクを一旦裏返して装填する必要がある。また、レーベル情報はレーベル面に一度しか記録できないため、ＤＶＤ−ＲＡＭのような書き換え型のディスクに対しては、そのレーベル情報は記録されたデータと必ずしも相関するとは限らない。よって、かえってユーザの混乱を招く場合もあり得る。さらに、LightScribe技術のようにレーザーを使ったレーベル情報の記録には、約３０分もの長時間を要するという問題もある。
【０００６】
そこで特許文献２は、電子ペーパーを有する種々の記録媒体、および、電子ペーパーを利用してレーベル情報を表示する技術を開示している。電子ペーパーは書き換え可能であるとともに、書き換え時間はたとえば１秒以下である。これは、レーザーを使ったレーベル情報の記録時間よりもきわめて短い。また、電子ペーパーへの書き込み時に記録媒体を裏返す必要はない。よって、LightScribe技術を利用することによる問題は解消できる。
【特許文献１】特開２００５−４４５０２号公報
【特許文献２】特開２００３−３３１５６０号公報
【発明の開示】
【発明が解決しようとする課題】
【０００７】
しかしながら、上述の特許文献２においては、装置に比較的大型かつ複雑な機構を設けて電子ペーパーにデータを送り、情報を表示している。近年、光ディスク装置には薄型化、小型化が要求され、また製造コストの低減も依然として必要とされている。したがって、光ディスク装置からデータを送るための機構をいかに薄型化および低価格化に適合させるかが問題となる。
【０００８】
また、ユーザの利便性をさらに向上させるために、記録媒体に記録されたコンテンツと密接に関連させて電子ペーパーの表示を制御することも要求されている。
【０００９】
本発明の目的のひとつは、電子ペーパーが設けられた記録媒体（たとえば光ディスク）に対し、簡単な構成で電子ペーパーの表示内容を書き換え可能な装置を提供することである。また、本発明の目的のひとつは、記録媒体に記録されたコンテンツと関連して電子ペーパーの表示を制御する装置を提供することである。
【課題を解決するための手段】
【００１０】
本発明によるディスク装置は、回転力を発生させるモータと、ディスクと接触して前記ディスクを固定し、前記回転力によって前記ディスクを回転させる軸受けと、前記ディスクへの情報の記録および／またはディスクからの情報の再生を行うためのヘッドとを有するディスク装置であって、前記軸受けは電気信号を出力する少なくとも１つの出力端子を有しており、前記ディスクが、前記電気信号にしたがって表示内容を書き換え可能な電子ペーパーを備えている場合において、前記少なくとも１つの出力端子は、前記電子ペーパーに電気信号を供給するために前記ディスク上に設けられた少なくとも１つの入力端子と接触する位置に配置されている。
【００１１】
前記ディスク装置は、前記少なくとも１つの出力端子に対する前記電気信号の供給を制御する制御部をさらに備え、ディスクが装填されたときは、前記制御部は所定の電気信号に基づいて前記導通の有無を判定してもよい。
【００１２】
前記制御部は前記導通の有無に応じて動作を切り替えてもよい。
【００１３】
前記制御部は、表示内容を示すイメージ情報を受け取って、前記電気信号に変換してもよい。
【００１４】
前記少なくとも１つの出力端子は、前記回転軸を中心として円環状に設けられていてもよい。
【００１５】
前記少なくとも１つの出力端子は複数存在し、複数の出力端子が前記回転軸を中心として同心円状に設けられていてもよい。
【００１６】
本発明による記録媒体は、表示内容を書き換え可能な電子ペーパーを備えており、前記記録媒体には、再生装置を用いて視聴可能な第１種類のコンテンツおよび視聴不可能な第２種類のコンテンツを格納することが可能であり、前記電子ペーパーは、前記記録媒体に格納されているコンテンツに関する情報を、前記コンテンツの種類に応じて異なる態様で表示してもよい。
【００１７】
前記電子ペーパーは、前記記録媒体に格納されているコンテンツに関する情報を、前記コンテンツの種類に応じて異なる濃度で表示してもよい。
【００１８】
前記電子ペーパーは、視聴不可能であることを示す情報を含むように、前記第２種類のコンテンツに関する情報を表示してもよい。
【００１９】
前記電子ペーパーは、前記第１種類のコンテンツに関する情報のみを表示し、前記第２種類のコンテンツに関する情報を表示しなくてもよい。
【００２０】
本発明によるデータ処理装置は、前記記録媒体が装填されるドライブ装置であって、前記記録媒体には視聴不可能な第２種類のコンテンツが格納されている、ドライブ装置と、前記記録媒体に設けられた電子ペーパーと電気的に接続され、前記電子ペーパーの表示内容の書き換えを制御する制御部と、ユーザから前記コンテンツの視聴の認証要求を受け取る受信部と、前記認証要求に応答して視聴を認証するか否かを判定する判定部とを備え、前記判定部が視聴を認証したときには、前記制御部は、視聴可能な第１種類のコンテンツに対応する態様で前記コンテンツに関する情報を前記電子ペーパーに表示させる。
【００２１】
前記判定部は、前記認証要求に応答して前記コンテンツに対する料金の支払いが完了しているか否かを示す課金情報を取得し、支払いが完了しているときには視聴を認証してもよい。
【００２２】
前記データ処理装置は、ネットワークを介して前記コンテンツの提供者のサーバと通信する通信部をさらに備え、前記判定部は、通信部を介して前記課金情報を取得してもよい。
【００２３】
前記判定部は、前記コンテンツに対する料金の支払いが完了しているユーザにのみ配布される認証キーを、前記課金情報として取得してもよい。
【００２４】
本発明によるデータ処理装置は、記録媒体が装填されるドライブ装置であって、前記記録媒体はコンテンツデータを格納するためのデータ領域を有し、かつ、表示内容を書き換え可能な電子ペーパーを備えている、ドライブ装置と、前記記録媒体に設けられた電子ペーパーと電気的に接続され、前記電子ペーパーの表示内容の書き換えを制御する制御部と、前記コンテンツデータを前記記録媒体に書き込むための処理を行い、前記コンテンツデータに基づいてコンテンツの再生に必要な管理情報を生成する処理部とを備え、前記処理部は、前記コンテンツ固有の識別情報を前記管理情報として付加し、前記制御部は前記識別情報を前記電子ペーパーの表示内容として書き換える。
【００２５】
前記データ処理装置は、前記電子ペーパーに表示された識別情報を再生指示として受け取る受信部をさらに備え、前記処理部は、前記識別情報に基づいて前記管理情報を読み出し、前記コンテンツを再生してもよい。
【００２６】
本発明による、データを書き換え可能な記録媒体は電子ペーパーを備えており、前記電子ペーパーは、表示部と、電気信号にしたがって前記表示部の表示内容を書き換える制御回路と、所定の映像データが書き込まれたメモリを備えており、前記制御回路は、前記記録媒体がフォーマットされたことを示す電気信号を受けると、前記メモリから前記所定の映像データを読み出して、前記表示部に表示する。
【００２７】
本発明による記録媒体は、ユーザデータを格納するためのユーザデータ領域と、ネットワークアドレスの情報が記録された非ユーザデータ領域とを有し、電気信号に基づいて表示内容を書き換え可能な電子ペーパーを備えている。
【００２８】
本発明によるデータ処理装置は、前記記録媒体が装填されるドライブ装置と、前記記録媒体に設けられた電子ペーパーと電気的に接続され、前記電子ペーパーの表示内容の書き換えを制御する制御部と、ネットワークを介して所定のサーバと通信する通信部とを備え、前記記録媒体のユーザデータ領域のフォーマット時において、前記ドライブ装置は前記記録媒体の前記非ユーザデータ領域から前記ネットワークアドレスの情報を読み出し、前記通信部は、読み出された前記ネットワークアドレスが割り当てられたサーバからデータを取得し、前記制御部は、取得された前記データに基づいて前記電子ペーパーの表示内容を書き換える。
【００２９】
本発明による記録媒体は、表示内容を書き換え可能な電子ペーパーを備えており、前記電子ペーパーは、前記記録媒体に格納されているコンテンツに関する情報を表示するための第１表示領域と、前記コンテンツに関連しない情報を表示するための第２表示領域とを備えている。
【００３０】
前記第２表示領域には広告に関する情報が表示されてもよい。
【００３１】
前記第２表示領域には、出荷時において所定の広告に関する情報が表示されていてもよい。
【００３２】
前記第１表示領域の表示内容が書き換えられた場合において、前記第２表示領域では表示内容が保持されてもよい。
【００３３】
前記第２表示領域の表示内容の書き換えは、前記第１表示領域の表示内容の書き換えとは独立して行われてもよい。
【発明の効果】
【００３４】
本発明によれば、ディスクと接触してディスクを固定し、モータの回転力をディスクに伝達する軸受けに、電気信号を出力する出力端子を設ける。この出力端子は、電子ペーパーを備えたディスクが装填されたときに、そのディスク上に設けられた入力端子と接触する位置に配置されている。出力端子を有するアーム等の可動部品を追加する必要がないため、製造コストを抑えることができる。さらに、稼動部品を用いないため、ユーザにとってもメンテナンスの手間および故障の可能性が大幅に低減される。
【００３５】
また本発明のデータ処理装置によれば、記録媒体に記録されたコンテンツと密接に関連させて電子ペーパーの表示を制御する。これにより、ユーザは記録媒体にどのようなコンテンツが記録されているのかを、そのコンテンツの詳細な情報とともに容易に確認でき、ユーザの利便性が非常に高くなる。
【発明を実施するための最良の形態】
【００３６】
以下、添付の図面を参照しながら、本発明によるデータ処理装置の実施形態を説明する。以下の実施形態の説明においては、データ処理装置は、ＨＤＤ内蔵型の光ディスク装置、より具体的にはＨＤＤ内蔵ＢＤレコーダであるとして説明するが、カムコーダやラップトップＰＣ（ノートブックＰＣ）等でもよい。
【００３７】
また、実施形態におけるＨＤＤ内蔵型光ディスクレコーダは、後述の光ディスク、半導体メモリ、ＨＤＤ等からのデータの読み出しおよび書き込みを行うドライブ／スロットを搭載しているが、全てを備えている必要はなく、後述の各動作に必要とされるドライブ／スロット以外は備えていなくてもよい。
【００３８】
１．光ディスク装置の構成
以下、図１を参照しながら、本実施形態による光ディスク装置の構成を説明する。図１は、ＨＤＤ内蔵ＢＤレコーダ（以下「レコーダ」と記述する。）１００の機能ブロックの構成を示す。
【００３９】
レコーダ１００は、記録媒体として、ＢＤ２０５ａおよびハードディスクドライブ（ＨＤＤ）２０５ｂ内のハードディスクを有している。レコーダ１００は、ＢＤ２０５ａおよびハードディスクに任意のデータを書き込み、読み出すことが可能である。ＢＤ２０５ａは再生専用であってもよく、その場合にはレコーダ１００はデータの読み出しのみを行う。図１では、ＢＤ２０５ａがレコーダ１００内に記載されているが、ＢＤ２０５ａは光ディスクレコーダ１００から取り外し（イジェクト）可能であり、レコーダ１００自体の構成要素ではないことに留意されたい。また、説明の便宜上、ハードディスクを利用したデータの書き込み／読み出しは、ＨＤＤ２０５ｂへのデータの書き込み／読み出しと記述する。
【００４０】
図１に示すＢＤ２０５ａには、電子ペーパー１０が設けられている。電子ペーパー１０は、端子を介して供給された電気信号に基づいて表示内容の書き換えが行われるように構成されている。レコーダ１００は、ＢＤ２０５ａに記録されたコンテンツ等と密接に関連させて電子ペーパーの表示を制御することができる。表示制御の詳細は後述する。なお、レコーダ１００には電子ペーパー１０を有していないＢＤ２０５ａが装填されることもある。レコーダ１００は、電子ペーパー１０の有無を判定し、その判定結果に応じて動作を切り替えることができる。
【００４１】
レコーダ１００は、デジタルチューナ２０１ａおよびアナログチューナ２０１ｂと、ＡＤコンバータ２０２と、ＭＰＥＧ−２エンコーダ２０３と、ＴＳ処理部２０４と、ＭＰＥＧ−２デコーダ２０６と、グラフィック制御部２０７と、メモリ２０８と、ＤＡコンバータ２０９と、ＣＰＵバス２１３と、ネットワーク制御部２１４と、指示受信部２１５と、インターフェース（Ｉ／Ｆ）部２１６と、メモリカード制御部２１７と、書換制御部２１９と、システム制御部２５０と、光ディスクドライブ２５１とを含む。
【００４２】
以下、各構成要素の機能を説明する。デジタルチューナ２０１ａは、アンテナ（図示せず）から１以上の番組（コンテンツ）が含まれるデジタル信号を受け取る。デジタル信号として伝送されるトランスポートストリームには複数の番組のパケットが混在している。複数の番組のパケットを含むトランスポートストリームは“フルＴＳ”と呼ばれる。フルＴＳには番組に関する属性情報が多重化されており、これにより豊富なサービスが実現される。属性情報には、ガイド情報、視聴制限情報、コピー制御情報が含まれている。デジタルチューナ２０１ａは、選局を行ってフルＴＳから必要な番組のパケットのみを取り出し、“パーシャルＴＳ”として出力する。
【００４３】
フルＴＳからパーシャルＴＳを生成する際には、必要な映像・音声情報を格納したパケットを取り出すだけでなく、ＥＩＴ（Ｅｖｅｎｔ  Ｉｎｆｏｒｍａｔｉｏｎ  Ｔａｂｌｅ）パケット、ＰＳＩ（Ｐｒｏｇｒａｍ  Ｓｐｅｃｉｆｉｃ  Ｉｎｆｏｒｍａｔｉｏｎ）パケットおよびＳＩ（Ｓｅｒｖｉｃｅ  Ｉｎｆｏｒｍａｔｉｏｎ）パケット等を抽出し、変更する必要がある。
【００４４】
ＢＳデジタル放送においては、ガイド情報はＥＩＴパケット内のＥＩＴテーブルにおいて、短形式イベント記述子や拡張形式イベント記述子として規定されている。ガイド情報９１は、たとえば番組タイトル、出演者、あらすじ、放送チャンネル、番組の放送日時、番組の出演者、製作者を特定する情報を含む。
【００４５】
またＰＳＩ／ＳＩパケットには、番組ごとの管理情報のみならず、番組名等の付加的な番組情報が格納されている。レコーダ１００は、フルＴＳのＰＳＩ／ＳＩパケットから、パーシャルＴＳの再生等に関して必要なデータのみを抽出されて１つのＳＩＴパケットが生成され、パーシャルＴＳ内に多重化する。
【００４６】
アナログチューナ２０１ｂは、アンテナ（図示せず）からアナログ信号を受け取り、周波数に基づいて選局を行って必要な番組の信号を取り出す。そして番組の映像および音声信号をＡＤコンバータ２０２に出力する。
【００４７】
ＡＤコンバータ２０２は入力された信号をデジタル変換してＭＰＥＧ−２エンコーダ２０３に供給する。ＭＰＥＧ−２エンコーダ２０３（以下「エンコーダ２０３」と記述する）は、録画の開始指示を受け取ると、供給されたアナログ放送のデジタルデータをＭＰＥＧ−２形式に圧縮符号化してトランスポートストリームを生成し、ＴＳ処理部２０４に入力する。
【００４８】
ＴＳ処理部２０４は、コンテンツの記録時にはパーシャルＴＳを受け取り、クリップＡＶストリーム（ＣｌｉｐＡＶストリーム）を生成し、ＢＤ２０５ａおよび／またはＨＤＤ２０５ｂに記録する。クリップＡＶストリームとは、ＢＤ２０５ａおよび／またはＨＤＤ２０５ｂに記録するための形式を有するデータストリームである。クリップＡＶストリームは複数の「ソースパケット」から構成されており、「ソースパケット」はパーシャルＴＳを構成する各ＴＳパケットに所定のヘッダを付加して生成される。
【００４９】
ＴＳ処理部２０４は、コンテンツの再生時には、ＢＤ２０５ａおよび／またはＨＤＤ２０５ｂからクリップＡＶストリームを読み出し、そのクリップＡＶストリームに基づいてパーシャルＴＳを生成してＭＰＥＧ−２デコーダ２０６に出力する。
【００５０】
また、ＴＳ処理部２０４は、後述するメモリカード制御部２１７からメモリカード１１２に格納された静止画データを受け取り、その静止画を加工することなくそのままＢＤ２０５ａおよび／またはＨＤＤ２０５ｂに記録する。また、ＢＤ２０５ａおよび／またはＨＤＤ２０５ｂに記録された静止画データを読み出してデコーダ２０６に出力することもできる。
【００５１】
なお、本明細書では、ＴＳ処理部２０４がＢＤ２０５ａおよび／またはＨＤＤ２０５ｂにデータを記録し、またはそれらからデータを読み出すとして説明しているが、これは説明の便宜のためである。ＢＤ２０５ａやＨＤＤ２０５ｂに対するストリームの書き込みや読み出しは、実際には、ディスクの回転、ヘッドの移動とともに各々のドライブおよびそのコントローラ（図示せず）が行っている。
【００５２】
ＭＰＥＧ−２デコーダ２０６（以下「デコーダ２０６」と記述する）は、供給されたパーシャルＴＳを解析してＭＰＥＧ−２圧縮符号化データを取得する。そして、その圧縮符号化データを伸長して非圧縮データに変換し、グラフィック制御部２０７に供給する。また、デコーダ２０６は、ＭＰＥＧ−２規格の圧縮符号化データのみならず、例えばＪＰＥＧ規格に従った静止画データも非圧縮データに変換することができる。グラフィック制御部２０７には内部演算用のメモリ２０８が接続されており、オン・スクリーン・ディスプレイ（Ｏｎ  Ｓｃｒｅｅｎ  Ｄｉｓｐｌａｙ；ＯＳＤ）機能を実現できる。例えば、グラフィック制御部２０７は種々のメニュー画像と映像とを合成してＤＡコンバータ２０９に出力することができる。ＤＡコンバータ２０９は、入力されたＯＳＤ合成画像および音声データをアナログ変換して出力する。出力先は、例えばＴＶである。
【００５３】
ＣＰＵバス２１３はレコーダ１００内の信号を伝送する経路であり、図示されるように各機能ブロックと接続されている。また、ＣＰＵバス２１３には、後述するシステム制御部２５０の各構成要素も接続されている。
【００５４】
ネットワーク制御部２１４は、レコーダ１００をインターネット等のネットワーク１０１に接続するためのインターフェイスであり、例えば、イーサネット（登録商標）規格に準拠した端子およびコントローラを有する通信部である。ネットワーク制御部２１４は、ネットワーク１０１を介してデータを授受する。このデータは、例えばユーザが課金されたコンテンツを視聴するときのコンテンツプロバイダへの認証要求であり、また、コンテンツプロバイダからの、支払い済みか否かを示す課金情報である。また、レコーダ１００の動作を制御するためのソフトウェアプログラムの更新データも含まれる。
【００５５】
指示受信部２１５は、レコーダ１００の本体部に設けられた操作ボタン、または、リモートコントローラからの赤外線を受光する受光部である。指示受信部２１５は、ユーザから、例えば録画の開始／停止、録画した番組の再生の開始／停止等の指示や、上述の認証要求を与える。
【００５６】
インターフェース（Ｉ／Ｆ）部２１６は、レコーダ１００が他の機器と通信するためのコネクタおよびその通信を制御する。Ｉ／Ｆ部２１６は、例えばＵＳＢ２．０規格の端子、ＩＥＥＥ１３９４規格の端子および各規格によるデータ通信を可能とするコントローラを含み、各規格に準拠した方式でデータを授受することができる。例えば、レコーダ１００は、ＵＳＢ２．０規格の端子を介してＰＣ１０８や、カムコーダ（図示せず）等と接続され、ＩＥＥＥ１３９４規格の端子の端子を介してデジタルハイビジョンチューナや、カムコーダ（図示せず）等と接続される。
【００５７】
メモリカード制御部２１７は、メモリカード１１２をレコーダ１００に装填するためのスロット、および、レコーダ１００とメモリカード１１２との間のデータ通信を制御するコントローラである。
【００５８】
システム制御部２５０は、レコーダ１００内の信号の流れを含む全体的な処理を制御する。システム制御部２５０は、プログラムＲＯＭ２１０と、ＣＰＵ２１１と、ランダムアクセスメモリ（ＲＡＭ）２１２とを有している。それぞれはＣＰＵバス２１３に接続されている。プログラムＲＯＭ２１０にはレコーダ１００を制御するためのソフトウェアプログラムが格納されている。添付の図面に含まれる種々のフローチャートは、それぞれがソフトウェアプログラムとして実装されている。
【００５９】
ＣＰＵ２１１は、レコーダ１００の全体の動作を制御する中央制御ユニットである。ＣＰＵ２１１は、プログラムを読み出して実行することにより、プログラムに基づいて規定される処理を実現するための制御信号を生成し、ＣＰＵバス２１３を介して各構成要素に出力する。またＣＰＵ２１１は、コンテンツの再生に必要な管理情報を生成し、ＣＰＵバスを介してＴＳ処理部２０４やメモリカード制御部２１７に出力する。
【００６０】
ＲＡＭ２１２は、ＣＰＵ２１１がプログラムを実行するために必要なデータを格納するためのワーク領域を有する。例えば、ＣＰＵ２１１は、ＣＰＵバス２１３を使用してプログラムＲＯＭ２１０からプログラムをＲＡＭ２１２に読み出し、そのプログラムを実行する。なお、コンピュータプログラムは、ＣＤ−ＲＯＭ等の記録媒体に記録して市場に流通され、または、インターネット等の電気通信回線を通じて伝送される。これにより、ＰＣ等を利用して構成されたコンピュータシステムを、本実施形態によるレコーダ１００と同等の機能を有するデータ処理装置として動作させることができる。
【００６１】
光ディスクドライブ２５１は、ＢＤ２０５ａにデータを書き込み、ＢＤ２０５ａに書き込まれたデータを読み出す。光ディスクドライブ２５１は、たとえばディスクトレイ、光ヘッド、スピンドルモータ、スピンドルモータの回転をディスクに伝達する回転軸およびドライブ全体の動作を制御するコントローラ等（いずれも図示せず）を備えている。これらのうち、一部の構成は図５（ｂ）などに関連して後述する。
【００６２】
書換制御部２１９は、表示対象の情報（イメージデータ）を受け取って電気信号に変換する。そして書換制御部２１９は、その電気信号を光ディスクドライブ２５１に設けられた出力端子（後述）を介して電子ペーパー１０に送り、電子ペーパー１０の表示内容の書き換えを制御する。書換制御部２１９によってどのような書き換えが行われるかについては、後に詳述する。
【００６３】
２．電子ペーパー付きＢＤの構成
図２は、電子ペーパー付きＢＤ２０の構成を示す。電子ペーパー付きＢＤ２０は、円形の電子ペーパー１０を接着剤などによってＢＤ２０５ａの一方の面に接着することによって得られる。以下の説明においては、電子ペーパー１０が設けられたＢＤ２０５ａを「ＢＤ２０」と記述する。なお、ＢＤ２０５ａは記録可能型のＢＤ−ＲＥディスクやＢＤ−Ｒディスクであってもよいし、再生専用のＢＤ−ＲＯＭディスクであってもよい。
【００６４】
図３は、ＢＤ２０の断面を示す。ＢＤ２０は、約４０５ｎｍのレーザー光が照射される側から順に、カバー層、記録層およびディスク基板が積層されている。そしてディスク基板上には電子ペーパー１０が接着されている。以下では、電子ペーパー１０が貼り付けられている側のＢＤ２０の面を「表側面」といい、電子ペーパー１０が貼り付けられていない側の面、すなわちカバー層側の面をＢＤ２０の「裏側面」という。ＢＤ２０の「裏側面」に対して、レーザー光が照射されてデータの書き込みおよび／または読み出しが行われる。
【００６５】
次に、電子ペーパー１０を詳細に説明する。まず、電子ペーパー１０が有する重要な特徴は、十分短い応答時間、たとえば１秒以下の応答時間で表示内容が書き換えが可能であること、および、表示内容の書き換えが終了した後で外部電場の印加を停止しても表示内容が保持されることである。よって、レコーダ１００から抜き出された後でも、ユーザはＢＤ２０上の電子ペーパー１０の表示内容を確認できる。
【００６６】
上述の特徴を利用すると、たとえばＢＤ２０の出荷時に、電子ペーパー１０に予め何らかの情報を表示させておくことも可能である。たとえばブランク状態のＢＤ２０に広告を表示しておくことにより、ＢＤ２０の販売価格を抑える等の応用が可能である。
【００６７】
電子ペーパー１０の表示原理は種々開発されている。そのうち、たとえば特開２００４−２４４６２０号公報に紹介されているように、ジリコンメディア社によるジリコンビーズを用いた帯電ビーズ法と、Ｅ  Ｉｎｋ社による、マイクロカプセルを用いた電気泳動法とがよく知られている。
【００６８】
帯電ビーズ法とは、白と黒のニ色に塗り分けた固体粒子（ジリコンビーズ）を利用しドライバ層の電荷によってこの粒子を回転させる表示方式である。白色の半球が表に表れれば白が表示され、黒色の半球が表に表れれば黒が表示される。
【００６９】
また電気泳動法とは、青色の液体と白色の帯電粒子（たとえば酸化チタン粒子）を透明樹脂のマイクロカプセルの中に入れ、液体中に分散している白い帯電粒子が外部電場に応答してマイクロカプセル内を移動する電気泳動を利用した表示方式である。外部電場のかけ方を調整することにより、電子ペーパーの表面に近い側に白色の帯電粒子が引き寄せられると、電子ペーパーが着色表示される。電子ペーパーの裏面に近い側に白色の帯電粒子が引き寄せられると、電子ペーパーに青色表示される。フィルタを設けると黒色等の表示も可能である。
【００７０】
以下に言及する電子ペーパーは、マイクロカプセルを用いた電気泳動法を利用する電子ペーパーであるとして説明する。電子ペーパー１０を利用して、文字、図形等の任意の模様を表示することが可能である。また、カラーフィルター等を用いてカラー表示をすることも可能である。
【００７１】
図４は、円形電子ペーパー１０の配線を示す。円形電子ペーパー１０は、主として表示部１３と周縁部１４とから構成されている。表示部１３は、文字、図形等を表示する領域である。表示部１３には、粒子に外部電場を印加するための複数の行アドレス線１５−１および複数の列アドレス線１５−２が格子状に配置されている。表示部１３の中心部には、円形のＢＤ２０５ａの中心部の孔に対応して孔が形成されており、行／列アドレス線はその位置において孔を迂回するように配線されている。
【００７２】
周縁部１４には、行制御回路１１および列制御回路１２が配置されている。行制御回路１１および列制御回路１２はそれぞれ、複数の行アドレス１５−１線および複数の列アドレス線１５−２線に印加する電圧を制御する。印加される電圧は、円形電子ペーパー１０の入力端子（後述）から入力される電気信号に基づいて決定される。電気信号は、表示されるイメージデータに対応している。
【００７３】
図３１の（Ａ）および（Ｂ）は、行アドレス線１５−１および列アドレス線１５−２の交点位置における電子ペーパー１０の断面を示す。
【００７４】
電子ペーパー１０は、行アドレス線１５−１を有する第１基体シート３２１と、電気泳動層と、列アドレス線１５−２を有する第２基体シート３２３から構成される。電気泳動層は行アドレス線１５−１および列アドレス線１５−２に挟まれている。たとえばユーザは、第２基体シート３２３側から電子ペーパーの表示を視認できる。
【００７５】
第１基体シート３２１として、紙類や合成樹脂類を適用できる。合成樹脂としては、透明または着色のいずれもが用いられる。着色は、たとえば樹脂へ着色顔料を練り込んだり、第１基体シート３２１の片側または両側へ公知の印刷・コーティング方法にて着色インキを形成すればよい。色調は、表示の見やすさなどを考慮して適宜選択することができる。
【００７６】
第２基体シート３２３として、透明な合成樹脂類を適用できる。合成樹脂には、可逆表示と表示の観察に影響のない範囲で、滑剤、帯電防止剤、抗菌剤、分散剤、顔料などの添加し混入してもよい。
【００７７】
第１基体シート３２１への行アドレス線１５−１の形成、および第２基体シート３２３への列アドレス線１５−２の形成は、ポリエステルなどの第１基体シート３２１および第２基体シート３２３の表面にアルミニウムやＩＴＯなどを真空法で製膜し、エッチング法などで、線状の行アドレス線１５−１および列アドレス線１５−２を形成する。各列アドレス線１５−２は、透明なＩＴＯが適用できるが、基体シート３２１側の各行アドレス線１５−１については、アルミニウム・銅・金などの導電性の不透明な材料であってもよい。
【００７８】
Ｅ  Ｉｎｋ社によるＥインク方式の電気泳動層は、多数のカプセル３１５を含有したバインダ３１３で、シート状に形成されている。カプセル３１５の内部は、溶媒３１７で満たされており、微細な複数の泳動粒子３１９が移動可能に分散されている。
【００７９】
カプセル３１５は、ホルムアルデヒド架橋尿素樹脂からなり、直径は４０μｍ前後である。該カプセルの中の溶媒３１７としては、ＩｓｏｐａｒＧなどの絶縁性液体で、染料を溶解しても良く、またテトラクロロエチレンで溶媒３１７と泳動粒子３１９の比重とが等しくなるように比重調整してある。溶媒３１７と泳動粒子１９の比重とが等しいため、ＢＤ２０が高速に回転しても泳動粒子３１９の位置は変動しない。よって表示内容が崩れることはない。泳動粒子３１９は、低密度ポリエチレンでコーティングした０．２〜０．３μｍの酸化チタン微粒子である。
【００８０】
各泳動粒子３１９は、電界（電場）のマイナス側に引き寄せられる。電界（電場）のマイナス側は、行アドレス線１５−１および列アドレス線１５−２のうち、より低い電圧が印加された側に対応する。
【００８１】
図３１のうち、左側の例（Ａ）は、列アドレス線１５−２が電場のマイナス側の例である。各泳動粒子３１９は、列アドレス線１５−２側に引き寄せられる。このとき、表示部には白色が表示される。一方、右側の例（Ｂ）は、行アドレス線１５−１が電場のマイナス側の例である。各泳動粒子１９は、行アドレス線１５−１側に引き寄せられる。このとき、表示部には黒または溶媒の色が表示される。
【００８２】
電子ペーパー１０に表示される内容（イメージデータ）のうちの行方向のデータが各行アドレス線１５−１に送られ、また、列方向のデータは同期をとって順次各列アドレス線１５−２に送られる。
【００８３】
なお、行アドレス線１５−１および列アドレス線１５−２の直交位置にトランジスタ等のスイッチング素子を設けてもよい。トランジスタを設けた電子ペーパーは、たとえば特開２００２−１６９１９０に開示されている。
【００８４】
上述の例では、マイクロカプセルに青色の液体と白色の帯電粒子とを入れる例を説明したが、他の構成を採用することができる。たとえば透明樹脂のマイクロカプセルの中に、透明な絶縁性液体（または流動体）とプラスに帯電された白色粒子とマイナスに帯電された黒色顔料を入れてもよい。行アドレス線１５−１および列アドレス線１５−２に電位差を与えて白色粒子と黒色顔料とが移動する方向を制御することによって、電子ペーパー上の白・黒の表示が可能となる。
【００８５】
なお、現在、電気泳動法による表示方式以外の他の方式を採用する電子ペーパーの開発も進められている。たとえば光書き込み方式の電子ペーパーや、ＱＲ−ＬＰＤなどの電子ペーパーである。本発明の実施に当たってはこれらの電子ペーパーを採用することも可能である。
【００８６】
図５（ａ）は、ＢＤ２０における電子ペーパーの入力端子群１６の形状および位置を示す。入力端子群１６はＢＤ２０裏側面の、レーザー光が照射されるデータ領域の内周寄りに設けられている。各入力端子は円弧状であり、それらが異なる半径位置に配置されている。入力端子群１６の各々は行制御回路１１および列制御回路１２に接続されている。
【００８７】
図５（ｂ）は、光ディスクドライブ２５１側の出力端子群２２０の形状および配置を示す。出力端子群２２０は電子ペーパー裏側面の入力端子群１６と接触して電気的に接続され、書換制御部２１９からの電気信号を入力端子群１６に供給する。出力端子群２２０の各々は、光ディスクドライブ２５１の回転軸２２１に関して同心円状に配置されている。入力端子群１６の各半径位置を決めていれば、入力端子群１６と接触するように出力端子群２２０を配置することができる。回転軸２２１には、スピンドルモータ２２３が発生した回転力が伝達される。出力端子群２２０の各々は、回転軸２２１とともに回転する。
【００８８】
この出力端子群２２０の構成および配置が有利な点は、小型の光ディスクドライブにもきわめて容易に採用できることである。たとえばラップトップＰＣに採用されている薄型の光ディスクドライブは、ＢＤ２０を回転軸２２１にはめ込んで固定するものが多い。出力端子群２２０を同心円状に配置しておくと、ＢＤ２０をはめ込む位置を問わず、確実に出力端子群２２０を入力端子群１６に接触させることができる。
【００８９】
入力端子群１６および出力端子群２２０の各形状および配置は種々考えられる。たとえばドライブ軸受けを有する光ディスクドライブについては、図６に示す構成が好ましい。
【００９０】
図６（ａ）は、第１の変形例にかかる、電子ペーパーの入力端子群１６の形状および位置を示す。入力端子群１６はＢＤ２０の表側面に、円環状かつ同心円状に設けられている。図６（ｂ）は、第１の変形例にかかる出力端子群２２０の形状および位置を示す。光ディスクドライブの中には、ドライブ回転軸２２１に対応してドライブ軸受け２２２を有するものが存在する。そこで、その軸受け２２２に、異なる半径位置に配置された円弧状の２２２を設ければよい。
【００９１】
図５および図６に示す例では、ＢＤ２０が静止している場合のみならず、ＢＤ２０が回転している場合でも入力端子群１６と出力端子群２２０とが接触している。これは、ＢＤ２０が回転しているか否かにかかわらず安定的に電気信号を供給できることを意味する。よって、電子ペーパー１０の表示内容の書き換えは任意のタイミングで可能である。
【００９２】
さらに、図５および図６に示す例では、ＢＤ２０５ａの内周側に、同心円状に端子を配置するため、小さな円、すなわち短い配線で端子を形成できる。よってディスクの供給者は低コストでＢＤ２０を製造できる。光ディスクドライブ２５１の製造者にとっても出力端子群２２０とその配線を配置するのみでよい。よって容易かつ低コストで光ディスクドライブ２５１を製造できる。特に、従来例に設けられているようなアーム等の可動部品を追加する必要がないため製造コストを抑えることができる。さらに、稼動部品を用いないため、ユーザにとってもメンテナンスの手間および故障の可能性が大幅に低減され、有利である。
【００９３】
なお、図５および図６では、入力端子群１６および出力端子群２２０は各３本存在する。これらはたとえば電源線、行アドレス線１５−１および列アドレス線１５−２にそれぞれ対応している。しかし、これらは少なくとも各２本設けておけばよい。電子ペーパー１０の制御回路１１および１２を駆動するための電圧線と、電子ペーパー１０の表示内容を示す電気信号（制御信号）を送る信号線とが存在すれば、表示の書き換え制御が可能だからである。本数が多くなればデータバス幅が広がり高速化されるが、コストがかかることなり、これらはトレードオフの関係がある。設計に応じて適宜変形すればよい。
【００９４】
なお、電子ペーパー１０に無線受信回路（図示せず）を設け、書換制御部２１９から無線によって表示内容を示すデータを受信し、そのデータに基づく電気信号を無線受信回路が制御回路１１および１２に供給するように構成することもできる。このときは、各回路を駆動するための電圧線が１本存在すれば十分である。
【００９５】
図７および図８は、対応する入力端子群１６および出力端子群２２０の更なる変形例を示している。
【００９６】
図７（ａ）は、第２の変形例にかかる、電子ペーパーの入力端子群１６の形状および位置を示す。入力端子群１６はＢＤ２０の表側面に、電子ペーパー１０の周縁部１４に集中的に配置されている。図７（ｂ）は、第２の変形例にかかる出力端子群２２０の形状および位置を示す。
【００９７】
図７の例では、ディスクが静止した状態で電気信号が電子ペーパー１０に送られる。光ディスクドライブ２５１は、出力端子群２２０がＢＤ２０５ａ上の入力端子群１６に接触させるためのドライブ制御を行う。たとえば光ディスクドライブ２５１は、レーベル面側の所定の画像パターンや電圧端子の形状を認識して位置合わせを行い、各端子同士を接触させてもよい。
【００９８】
図８（ａ）は、第３の変形例にかかる、電子ペーパーの入力端子群１６の形状および位置を示す。入力端子群１６はＢＤ２０の表側面に、電子ペーパー１０の最外周位置に分散して配置されている。図８（ｂ）は、第３の変形例にかかる出力端子群２２０の形状および位置を示す。
【００９９】
図８の例では、ディスクが回転した状態で電気信号が電子ペーパー１０に送られる。出力端子群２２０は、回転しているＢＤ２０の横方向からディスクに接触する。出力端子群２２０はディスクの回転中心のずれを吸収するために可動式（バネ等による固定式）であってもよい。
【０１００】
なお、本例はディスクが回転していない状態であっても利用できる。たとえば出力端子群２２０をディスクトレイ上に配置することにより、ユーザは入力端子群１６と出力端子群２２０とが接触するようにディスクを装填すればよい。
【０１０１】
これまでの説明では、電子ペーパー１０は円形であるとした。しかし、他の形状を採用することもできる。
【０１０２】
たとえば図９は、矩形電子ペーパー１９を示す。矩形電子ペーパー１９もまた表示部１３および周縁部１４を有している。表示部１３には格子状の複数の行アドレス線１５−１および複数の列アドレス線１５−２が設けられ、周縁部１４には行制御回路１１および列制御回路１２が配置されている。矩形電子ペーパー１９の表示原理およびその制御方法は、先に説明した円形電子ペーパーの例と同じである。よって説明は省略する。
【０１０３】
図１０（ａ）および（ｂ）は、ＢＤ２０における矩形電子ペーパー１９の配置例を示す。図１０（ａ）では、１枚の矩形電子ペーパー１９が設けられている。図１０（ｂ）では、２枚の矩形電子ペーパー１９が設けられている。矩形電子ペーパー１９の配置および／または数はさらに変更することができる。いずれの例においても、入力端子群１６の配置および／または数は図５（ａ）〜図８（ａ）に示す例を採用できる。
【０１０４】
上述のように、電子ペーパー１０の形状、入力端子群１６／出力端子群２２０の形状、配置および数は種々考えられる。以下では、電子ペーパーは円形であるとし、入力端子群１６／出力端子群２２０は、図５（ａ）および（ｂ）に示すように構成されているとして説明する。
【０１０５】
３．光ディスク装置による電子ペーパー付きＢＤの装填検出処理
レコーダ１００は、電子ペーパー１０を有するＢＤ２０５ａ（すなわちＢＤ２０）が装填されたか、または、電子ペーパー１０を有さないＢＤ２０５ａが装填されたかによって、動作を切り替えることができる。たとえばＢＤ２０が装填されたときには、その情報をレコーダ１００に接続されたＴＶや、レコーダ１００の表示管（図示せず）に表示することができる。また、書換制御部２１９を動作させて、コンテンツ記録後にそのコンテンツのタイトル、記録日時等を電子ペーパー１０に表示させることができる。一方、電子ペーパー１０を有さないＢＤ２０５ａが装填されたときには、書換制御部２１９を動作させず、通常のコンテンツの記録を行えばよい。
【０１０６】
そこで、以下、図１１を参照しながら、レコーダ１００における電子ペーパー付きＢＤの装填検出処理を説明する。
【０１０７】
図１１は、電子ペーパー付きＢＤが装填されたか否かの検出処理の手順を示す。ステップＳ１１０において、レコーダ１００はディスクの装填を検出する。たとえばディスクがディスクトレーを利用して装填されるときには、ディスクトレーをレコーダ１００内に収納した後レーザー光を放射し、反射光の光量に基づいて反射率を計算する。その結果、反射率が所定値以上であればディスクが装填されたと判定できる。なお、ディスクトレーを利用しないスロットローディング方式を採用する場合には、ローディング用のモーター（図示せず）の動作終了後にレーザー光を放射すればよい。
【０１０８】
ディスクが装填されたときは、次のステップＳ１１１に進む。ステップＳ１１１において、書換制御部２１９は所定の電気信号を出力して出力端子群２２０に電圧を印加する。そしてステップＳ１１２において、導通があるか否かを判定する。電気信号は導通の有無をチェックする目的で出力される任意の信号である。
【０１０９】
導通があるときには、出力端子群２２０は入力端子群１６と接触していることを意味する。よって、書換制御部２１９は、装填されたディスクは電子ペーパー１０付きＢＤ２０５ａ（すなわちＢＤ２０）であると判断できる。このとき処理はステップＳ１１３に進む。
【０１１０】
一方、導通がないときには、ディスクには入力端子群１６が存在しないことを意味する。よって、書換制御部２１９は装填されたディスクは電子ペーパー１０を備えないＢＤ２０５ａであると判断できる。この後処理は終了する。
【０１１１】
ステップＳ１１３およびＳ１１４は、ＢＤ２０であると判定した後の付加的な処理である。ステップＳ１１３において、書換制御部２１９はＢＤ２０の属性情報を取得する。属性情報とは、たとえばＢＤ２０の直径が８０ｍｍか１２０ｍｍかを示す情報、記録層の数を示す情報、記録層が複数種類存在するハイブリッドディスクか否かの情報等である。これらはＢＤ２０の出荷時等において、電子ペーパー１０のチップ回路内のメモリに格納されている。なお、このメモリは、行、列制御回路１１、１２の内部メモリとして設けられてもよい。
【０１１２】
ステップＳ１１４において、書換制御部２１９は、ＢＤ２０の検出を示すメッセージを表示する。たとえば書換制御部２１９は、プログラムＲＯＭ２１０に格納されたメッセージデータを読み出し、グラフィック制御部２０７に指示して、そのデータに基づいて「電子ペーパー付きＢｌｕ−ｒａｙディスクを検出しました」というメッセージをＴＶに表示させる。さらに書換制御部２１９は、ＢＤ２０の属性情報に基づいてディスク直径等に関するメッセージを表示させてもよい。
【０１１３】
４．レコーダ１００の動作に応じた電子ペーパーの表示の更新
レコーダ１００は種々の動作を実行しながら、各動作に応じて電子ペーパーの表示を更新する。そこで、以下の項目（４−１）〜（４−６）において、レコーダ１００の動作に関連する電子ペーパーの表示更新処理を説明する。なお、１台のレコーダ１００が後述するすべての処理を行わなくてもよく、少なくとも１つの表示更新処理を行えばよい。下記項目（４−１）〜（４−６）は、それぞれが本発明による装置の実施形態である。
【０１１４】
（４−１）コンテンツ記録時の電子ペーパーの表示更新処理
本実施形態においては、電子ペーパーを備えたＢＤ２０５ａ（ＢＤ２０）はデータを書き込み可能なＢＤ−ＲディスクやＢＤ−ＲＥディスクであるとする。
【０１１５】
まず、図１２を参照しながら表示内容の書き換え例を示し、その後、図１３を参照しながらレコーダ１００による書き換え処理を説明する。
【０１１６】
図１２は、電子ペーパーの表示内容の変化を示す。図１２では、記載を簡単にするため、電子ペーパー１０はＢＤ２０の一方の面の全てを覆うように記載されている。以下の図でも同様である。
【０１１７】
レコーダ１００は、ＢＤ２０へのコンテンツの録画に伴って、電子ペーパー１０の表示内容を書き換える。データが書き込まれていない状態では、ＢＤ２０の出荷時のメーカー情報３０が保持されている。
【０１１８】
そして、ＢＤ２０にドラマが録画された後には、書換制御部２１９は、録画番号とともに、その番組のジャンルおよびタイトルを含む情報３１に書き換える。ユーザはＢＤ２０を取り出した後、電子ペーパーの表示内容３１をいつでも確認できるので、何の番組を録画したかを容易に把握できる。
【０１１９】
図１３は、コンテンツ記録時の電子ペーパーの更新処理の手順を示す。ステップＳ１３０において、レコーダ１００は、図１１の処理によってＢＤ２０の装填を検出する。
【０１２０】
ステップＳ１３１において、ＴＳ処理部２０４は、ＢＤ２０に管理情報が記録されているか否かを判定する。管理情報とは、例えば後述する図１６に示す管理ファイル８２、プレイリストファイル８３、クリップ情報ファイル８４内の情報である。管理情報が記録されているときはステップＳ１３２に進み、記録されていないときはステップＳ１３３に進む。
【０１２１】
ステップＳ１３２において、ＴＳ処理部２０４は、ＢＤ２０から管理情報を読み出してＲＡＭ２１２に格納する。その後、ステップＳ１３３において、ユーザから録画指示を受け取る。
【０１２２】
ステップＳ１３４において、ＲＡＭ２１２に管理情報が存在するか否かを判定する。管理情報が存在すればステップＳ１３５に進み、存在しなければステップＳ１３６に進む。なお、ＢＤ２０にコンテンツデータが初めて書き込まれるときは、ＢＤ２０上にもＲＡＭ２１２上にも管理情報は存在しない。よってステップＳ１３６に進む。
【０１２３】
ステップＳ１３５において、録画指示に基づいてＴＳ処理部２０４はＢＤ２０への番組データ（コンテンツデータ）の書き込みを開始し、その番組の管理情報をＲＡＭ２１２上の管理情報に追記する。「その番組の管理情報」は、トランスポートストリームのＰＳＩ／ＳＩパケットに記述された番組名等の情報である。その後処理はステップＳ１３７に進む。
【０１２４】
ステップＳ１３６においては、録画指示に基づいてＴＳ処理部２０４はＢＤ２０へのコンテンツデータの書き込みを開始し、そのコンテンツの管理情報をＲＡＭ２１２上に生成する。
【０１２５】
ステップＳ１３７において、ＴＳ処理部２０４は、コンテンツデータの書き込み完了後、さらにＲＡＭ２１２上の管理情報をＢＤ２０に書き込む。
【０１２６】
次のステップＳ１３８において、書換制御部２１９は、ＲＡＭ２１２上の管理情報に基づいて、ＢＤに記録されたコンテンツのタイトルと番号の組を電子ペーパーに書き込む。これにより、表示内容が更新される。なお、電子ペーパーの表示内容を更新するタイミングは、録画終了直後であってもよいし、録画が終了した後、初めてＢＤ２０がイジェクトされる時であってもよい。
【０１２７】
なお、図１２に示す例ではコンテンツの記録に伴って電子ペーパーの表示を追加している。一方、ユーザによってコンテンツのデータが削除されることがある。このときも電子ペーパーの表示内容は更新される。削除されたコンテンツの管理情報は削除されるため、対応するコンテンツの表示は電子ペーパー上から削除される。書換制御部２１９は、存在するコンテンツの番号を付しなおして電子ペーパー１０の表示内容を更新する。
【０１２８】
（４−２）コンテンツ再生時の電子ペーパーの表示更新処理
本実施形態においては、電子ペーパーを備えたＢＤ２０５ａ（ＢＤ２０）はデータを書き換え可能なＢＤ−ＲＥディスクであるとする。
【０１２９】
まず、図１４を参照しながら表示内容の書き換え例を示し、その後、図１５を参照しながらレコーダ１００による書き換え処理を説明する。
【０１３０】
図１４は、電子ペーパーの表示内容の変化を示す。レコーダ１００は、ＢＤ２０に記録されたコンテンツの再生終了に伴って、電子ペーパー１０の表示内容を書き換える。
【０１３１】
まず、ＢＤ２０の電子ペーパーには少なくとも１つのコンテンツが記録されているとする。図１４は、３つのコンテンツ（ドラマ、野球および映画の各番組）が記録されていることを示している。各コンテンツに関する情報は、図１２および図１３を参照しながら説明した方法で電子ペーパーに書き込まれる。ここではさらに、電子ペーパーには視聴済みか否かを示すチェックボックス３２も付加されている。図示される例では、チェックボックス３２にはチェックマークが存在しないため、いずれのコンテンツも未視聴である。
【０１３２】
いま、ユーザが映画を視聴し終えたとする。すると書換制御部２１９は、映画のコンテンツに対応するチェックボックスにチェックマーク３３が記述された表示内容に書き換える。
【０１３３】
後述のように、ＢＤ−ＲＥディスクでは記録されたコンテンツが視聴されたか否かを示すフラグが管理情報として記録されている。そのフラグを参照することにより、視聴済みのコンテンツの表示にはチェックマーク３３を付加すればよい。電子ペーパーの表示を確認することにより、ユーザはＢＤ２０をレコーダ１００に装填しなくても、視聴済みのコンテンツと未視聴のコンテンツとを簡単に識別できる。よってユーザの利便性を著しく向上させることができる。
【０１３４】
図１５は、コンテンツ再生時の電子ペーパーの更新処理の手順を示す。
【０１３５】
ステップＳ１５０において、書換制御部２１９は、図１１の処理によってＢＤ２０の装填を検出する。次のステップＳ１５１において、ＴＳ処理部２０４はＢＤから管理情報を読み出してＲＡＭ２１２に格納する。管理情報の存在によって、ＣＰＵ２１１はコンテンツが記録されていることを認識できる。
【０１３６】
ステップＳ１５２において、レコーダ１００のＣＰＵ２１１は、ＴＳ処理部２０４、デコーダ２０６、グラフィック制御部２０７およびＤＡＣ２０９を動作させて、ＢＤ２０に記録されたコンテンツを再生する。なおＣＰＵ２１１は、指示受信部２１５を介して受け取ったユーザからの指示に基づいて再生を開始する。
【０１３７】
ステップＳ１５３において、ＣＰＵ２１１は再生が完了したか否かを判定する。再生が完了していない場合には完了するまで再生を継続する。再生が完了した場合にはステップＳ１５４に進む。
【０１３８】
ステップＳ１５４において、ＣＰＵ２１１は、そのコンテンツの管理情報に含まれる再生済フラグに「１」を設定する。再生済フラグを含むデータ構造は後述する。ステップＳ１５５において、ＣＰＵ２１１は、ＲＡＭ２１２上に保持された管理情報をＢＤ２０に書き込む。
【０１３９】
ステップＳ１５６において、書換制御部２１９は、ＲＡＭ２１２上の管理情報に基づいて、ＢＤに記録されたコンテンツのタイトルと番号の組、および、各コンテンツが視聴済みか否かを示すパターンを電子ペーパーに書き込む。図１４に示すように、再生済フラグに「１」が設定されたコンテンツに対してはチェックマーク３３が付されたチェックボックスが表示され、再生済フラグに「０」が設定されたコンテンツに対してはチェックマーク３３が付されないチェックボックスが表示される。
【０１４０】
次に、図１６〜図１８を参照しながら、上述の処理を実現するためのＢＤ２０のデータ構造を説明する。なお、当該データ構造は、ＢＤに電子ペーパーが備えられているか否かには依存しない。したがって、以下ではより一般的なＢＤ２０５ａとして説明する。
【０１４１】
図１６は、ＢＤ２０５ａの記録領域と、そのディレクトリ／ファイル構造を示す。ＢＤ２０５ａは、ギャザード・ファイル領域８１−１とリアルタイム・データ領域８１−２とを有する。ギャザード・ファイル領域８１−１の記録容量は数百メガバイトである。ギャザード・ファイル領域８１−１には、クリップＡＶストリームの再生等を管理する管理情報のファイル（データベースファイル）が記録される。
【０１４２】
図１６に示すように、データベースファイルは複数種類存在しており、例えば管理ファイル８２（Ｉｎｆｏ．ｂｄａｖ）、プレイリストファイル８３（０１００１．ｒｐｌｓ、１００００．ｖｐｌｓ）、クリップ情報ファイル８４（０１０００．ｃｌｐｉ）が存在する。これらはアクセスされる頻度が高い。よって、ギャザード・ファイル領域８１−１は効率的にアクセスが可能な、ＢＤ２０５ａの記録領域の中間部に設けられている。
【０１４３】
一方、リアルタイム・データ領域８１−２の記録容量は片面単層のＢｌｕ−ｒａｙディスクであれば２３〜２７ギガバイトである。リアルタイム・データ領域８１−２には、クリップＡＶストリームのストリームファイルが記録される。例えばクリップＡＶストリームファイル８５（０１０００．ｍ２ｔｓ）が記録される。
【０１４４】
上述の管理ファイル８２、プレイリストファイル８３、クリップ情報ファイル８４およびクリップＡＶストリームファイル８５は、ＢＤＡＶディレクトリ下に格納される。それらの相互の関係は以下のとおりである。図１７（ａ）〜（ｄ）は、管理情報とストリームデータとの関係を示す。図１７（ａ）〜（ｃ）が管理情報であり、図１７（ｄ）がストリームデータである。図１７（ａ）は管理ファイル８２（Ｉｎｆｏ．ｂｄａｖ）に記述されるプレイリストのテーブルを示す。すなわち、管理ファイル８２には、ＢＤ２０５ａ上に存在するプレイリストを特定するプレイリストファイル名のテーブルが格納されている。ここで「プレイリスト」とは、１以上のクリップＡＶストリームの一部または全部に跨る再生経路を規定した情報である。
【０１４５】
図１７（ｂ）は、プレイリストファイル８３（拡張子：ｒｐｌｓ／ｖｐｌｓ）に記述されるプレイリストを示す。プレイリストは、リアルプレイリストおよびバーチャルプレイリストに分類できる。リアルプレイリストは、例えば初めてストリームデータが記録されたときにレコーダ１００によって生成されるプレイリストであり、再生経路として動画の最初から最後までが指定される。一方、バーチャルプレイリストは、記録されたストリームデータに対してユーザが設定したプレイリストであり、ユーザの希望する任意の位置および区間が指定される。
【０１４６】
プレイリストの各区間は、プレイリスト内の各プレイアイテムにおいて規定される。すなわち、プレイアイテムには、再生開始位置に対応する開始時刻（Ｉｎ＿ｔｉｍｅ）および再生終了位置に対応する終了時刻（Ｏｕｔ＿ｔｉｍｅ）が記述される。開始時刻および終了時刻は、映像のフレームの再生表示時刻や音声のフレームの再生出力時刻を特定するプレゼンテーションタイムスタンプ（ＰＴＳ）によって記述される。通常、記録直後のリアルプレイリストではプレイアイテムは１つだけ設けられ、動画の最初と最後の時刻が指定される。一方、バーチャルプレイリストではプレイアイテムの数は任意である。１つのバーチャルプレイリストに複数のプレイアイテムを設け、各プレイアイテムが異なる動画ストリームを指定するように記述することもできる。
【０１４７】
図１７（ｃ）はクリップ情報ファイル（拡張子：ｃｌｐｉ）に記述される時間・アドレス変換テーブル（ＥＰ＿ｍａｐ）を示す。変換テーブル（ＥＰ＿ｍａｐ）８４は、クリップＡＶストリームの再生時刻と、その時刻に再生されるデータが格納されたアドレスとを対応付けたテーブルである。この変換テーブル８４を利用することにより、プレイアイテムにおいて指定される開始時刻（Ｉｎ＿ｔｉｍｅ）および終了時刻（Ｏｕｔ＿ｔｉｍｅ）から、その時刻に再生すべきデータが格納されたクリップＡＶストリームにおけるアドレスを特定することができる。
【０１４８】
図１７（ｄ）は、クリップＡＶストリームファイル８５（拡張子：ｍ２ｔｓ）に格納される動画ストリームを示す。この図では、ファイル“０１０００．ｍ２ｔｓ”および“０２０００．ｍ２ｔｓ”の各々がクリップＡＶストリームファイルである。
【０１４９】
図１７（ｃ）および（ｄ）に示すように、ＢＤ２０５ａ上では、１つのクリップＡＶストリームファイルに対して１つのクリップ情報ファイルが設けられる。以下では、クリップＡＶストリームファイルと、クリップ情報ファイルの対を、クリップ（Ｃｌｉｐ）と称する。
【０１５０】
図１８は、プレイリストファイル８３に格納される情報（エントリ）およびそのデータ構造を示す。拡張子“ｒｐｌｓ”および“ｖｐｌｓ”ファイル８３内には、ＵＩＡｐｐＩｎｆｏＰｌａｙＬｉｓｔ（）、ＰｌａｙＬｉｓｔ（）等のエントリが複数存在する。
【０１５１】
ＵＩＡｐｐＩｎｆｏＰｌａｙＬｉｓｔ（）は、再生保護フラグフィールド８３−１、再生済フラグフィールド８３−２、記録日時情報フィールド８３−３等を含んでいる。このうち、再生済フラグフィールド８３−２の値が、対応するコンテンツの再生後に「１」に設定される。再生保護フラグフィールド８３−１および記録日時情報フィールド８３−３を利用する態様は後述する。
【０１５２】
拡張子“ｒｐｌｓ”ファイルは、各コンテンツのクリップＡＶストリームファイルに対応して設けられるため、再生済フラグ８３−２もコンテンツごとに規定される。
【０１５３】
ＰｌａｙＬｉｓｔ（）は上述の「プレイリスト」に対応する。プレイリスト情報（ＰｌａｙＬｉｓｔ）の下位には、プレイアイテム（ＰｌａｙＩｔｅｍ）１、２・・・が記述される。各プレイアイテムには再生対象となるクリップ情報ファイルのファイル名（Ｃｌｉｐ＿Ｉｎｆｏｒｍａｔｉｏｎ＿ｆｉｌｅ＿ｎａｍｅ）、ＳＴＣを特定するための識別子（ｒｅｆ＿ｔｏ＿ＳＴＣ＿ｉｄ）、開始時刻（Ｉｎ＿ｔｉｍｅ）、終了時刻（Ｏｕｔ＿ｔｉｍｅ）等が格納される。
【０１５４】
（４−３）記録されたコンテンツのタイトルＩＤを利用した電子ペーパーの表示更新処理
本実施形態においては、電子ペーパーを備えたＢＤ２０５ａ（ＢＤ２０）は、一度だけデータを書き込み可能なＢＤ−Ｒディスクであるとする。ＢＤ−Ｒディスクには、再生専用のフォーマットでデータが書き込まれる。
【０１５５】
まず図１９〜図２１を参照しながら、コンテンツの記録に関連する電子ペーパーの表示内容の書き換え例およびディスクのデータ構造を説明する。その後、図２２を参照しながら電子ペーパーの表示内容を利用したコンテンツの再生処理を説明する。
【０１５６】
図１９は、複数枚のＤＶＤに記録されたコンテンツを１枚のＢＤ２０にまとめて保存するときのコンテンツの流れと、ＢＤ２０上の電子ペーパーの表示内容を示す。
【０１５７】
従来から、撮影した動画のデータをＤＶＤに記録するカムコーダの普及が進んでいるため、多くのＤＶＤに動画が撮りためられていると考えられる。特に、記録層が１層のＤＶＤの記録可能容量は１．４６ＧＢ程度であるため、子供の入学式の映像、運動会の映像等が複数枚のＤＶＤに分散していることも考えられる。そしてユーザは動画管理のため、各ＤＶＤのラベルに撮影日時やタイトルを書き込み、またはそのようなラベルを作成して貼り付けていることがほとんどである。
【０１５８】
一方、たとえば記録層が４層のＢＤ２０の記録可能容量は１００ＧＢであり、前述のＤＶＤの約６８枚分に相当する。動画管理上、ユーザが各ＤＶＤのラベルを作成して多数のＤＶＤを保管するよりは、１枚のＢＤ２０にまとめて保存し、かつ保存されている動画の情報をレコーダ１００によって電子ペーパーに表示させる方が、はるかにユーザの利便性は高いといえる。
【０１５９】
そこで図１９に示すように、レコーダ１００を利用すると、ユーザはＤＶＤに書き込まれた子供の入学式や運動会等の録画データをＨＤＤ２０５ｂに一旦コピーまたは移動し、取捨選択したデータを希望する順序で、ＢＤ２０に書き込むことができる。
【０１６０】
コンテンツの書き込み後は、レコーダ１００の書換制御部２１９が、コンテンツ番号３４−１、録画年月３４−２およびコンテンツ名３４−３の情報をＢＤ２０の電子ペーパーに書き込む。
【０１６１】
電子ペーパーに表示された内容を詳しく説明する。コンテンツ番号３４−１は、たとえば録画開始から終了までの１回の録画操作によって撮影された動画を１つのコンテンツとしたときに、各コンテンツを固有に識別する番号に対応する。図１９ではコンテンツ番号３４−１は「タイトル１〜１６」と示されている。これは、入学式の撮影が１６回に亘って行われたことを意味し、その結果１６のコンテンツを含んでいることを意味している。ＤＶＤでは、撮影されたデータごとに異なるＭＰＥＧ２プログラムストリームファイルが生成され、管理されているため、そのファイルごとにコンテンツを特定し、かつ固有の識別番号を付することができる。
【０１６２】
録画年月３４−２は、コンテンツが録画された年および月を示す。これらは、たとえばＭＰＥＧ２プログラムストリームファイルが生成された日時の情報に基づいて特定され、書き込まれる。または、規格として定められているＤＶＤの管理情報の中には録画日時の情報が含まれているため、その情報に基づいて特定され、書き込まれる。なお、より詳細な録画された日時の情報を含めてもよい。コンテンツ名３４−３は、ユーザが任意で付することができる名称であり、例として「入学式」と明示されている。
【０１６３】
表示内容３４−１から３４−３を参照すれば、ユーザは、いつ撮影された何の映像が、いくつのカットで保存されているかを容易に判断できる。
【０１６４】
ここで留意すべきは、レコーダ１００のＣＰＵ２１１は、コンテンツ番号３４−１として表示されている各番号を利用して、各コンテンツの管理情報を生成していることである。たとえば、コンテンツ番号「１０」が付されたコンテンツは、管理情報のタイトルＩＤが「１０」に設定される。タイトルＩＤは、各コンテンツに付されるコンテンツ固有の識別情報である。このように動作する利点は、ユーザがコンテンツ番号「１０」のタイトルの再生を希望して、リモコン等から「１０」を入力すると、レコーダ１００はその番号をそのまま利用して管理情報を検索し、その番号に対応するコンテンツを再生できることである。対応するコンテンツの管理情報を探し出すために複雑な演算をする必要がないため、ＣＰＵ２１１の処理負荷は非常に小さいといえる。
【０１６５】
図２０は、ＢＤ−Ｒの記録領域と、再生専用のフォーマットによるディレクトリ／ファイル構造を示す。
【０１６６】
ＢＤ−Ｒディスクの記録領域およびそのディレクトリ／ファイル構造は、多くの点で、図１６に示すＢＤ−ＲＥディスクの記録領域およびその記録型フォーマットによるディレクトリ／ファイル構造と共通する。以下では、共通する点には同じ参照符号を付してその説明は省略する。
【０１６７】
ＢＤ−Ｒでは、管理ファイル９２、プレイリストファイル８３、クリップ情報ファイル８４およびクリップＡＶストリームファイル８５は、ＢＤＭＶディレクトリ下に格納される。これらの関係もまた、図１７に示すとおりである。
【０１６８】
ただし、管理ファイル９２（Ｉｎｄｅｘ．ＢＤＭＶ）には、タイトルＩＤとそのタイトルＩＤに対応するファイル名が記述される。図２１は、管理ファイル９２のデータ構造の一部を示す。管理ファイル９２に含まれるエントリ９３（Ｉｎｄｅｘｅｓ（））には、ＢＤ２０５ａに格納されたコンテンツのタイトル数を特定するエントリ（ｎｕｍｂｅｒ＿ｏｆ＿Ｔｉｔｌｅｓ）が存在する。このエントリは、タイトルＩＤフィールド９４およびファイル名フィールド９５を有している。
【０１６９】
タイトルＩＤフィールド９４には、記録されたコンテンツに対応するタイトルＩＤが記述されている。タイトルＩＤは、たとえば「１」、「２」等の数字である。一方、ファイル名フィールド９５には、そのタイトルＩＤが割り当てられたコンテンツのファイル名が記述される。
【０１７０】
コンテンツの記録ごとに、各コンテンツのタイトルＩＤやそのファイル名が対応付けられ、管理ファイル９２が更新される。なお、管理ファイル９２の書き込みタイミングは、全コンテンツデータの書き込みが完了した後に行われてもよいし、各コンテンツデータの書き込み完了後に、逐次行われてもよい。管理ファイル９２の書き込みが完全に終了するまでは、管理ファイル９２は少なくともＲＡＭ２１２に保持され、ＲＡＭ２１２上で更新される。
【０１７１】
書換制御部２１９は、ＲＡＭ２１２の管理ファイル９２に基づいて、コンテンツ名とともに、そのコンテンツのタイトルＩＤをＢＤ２０上の電子ペーパーに表示する。
【０１７２】
図２２は、電子ペーパーに表示されたタイトルＩＤに基づくコンテンツの再生処理の手順を示す。
【０１７３】
まずステップＳ２００において、指示受信部２１５はユーザからコンテンツ番号の指定を受け取る。ユーザは電子ペーパーの表示内容を参照して、コンテンツ番号を指定することができる。
【０１７４】
次のステップＳ２０１において、ＣＰＵ２１１は、指定されたコンテンツ番号をそのまま検索キーとして用いて、管理ファイル９２中のｎｕｍｂｅｒ＿ｏｆ＿Ｔｉｔｌｅｓエントリ内のタイトルＩＤを検索する。そしてステップＳ２０２において、コンテンツ番号と一致するタイトルＩＤが存在するか否かを判定する。存在する場合には処理はステップＳ２０３に進み、存在しない場合にはコンテンツを再生することなく処理は終了する。
【０１７５】
ステップＳ２０３においては、ＣＰＵ２１１は、そのタイトルＩＤに関連付けられたファイル名を特定する。そして、ＴＳ処理部２０４に対してＢＤ２０からそのファイルを読み出すよう指示する。なお図２０から明らかなように、クリップＡＶストリームファイルが格納されるディレクトリは定められているため、ファイル名を特定できればその格納位置も同時に特定される。
【０１７６】
ＣＰＵ２１１は、ＴＳ処理部２０４、デコーダ２０６、グラフィック制御部２０７およびＤＡＣ２０９を動作させて、ＢＤ２０に記録されたコンテンツを再生する。その後、処理は終了する。
【０１７７】
上述の処理は、コンテンツの再生に関する例であるが、他にはコピー時や編集時にコンテンツを特定するために利用されてもよい。
【０１７８】
なお、上述の説明では、管理ファイル中のタイトルＩＤと同じ番号を電子ペーパー上に表示させるとしたが、設計上の変更は適宜可能である。たとえば、コンテンツ番号を（タイトルＩＤ＋１）などとしてもよい。この場合でも、複雑な演算をする必要がないため同様の効果が得られる。
【０１７９】
上述の説明では、タイトルＩＤとコンテンツの表示番号とを対応付けたが、これは例である。他には、タイトルＩＤと子供の生後日数とを対応付けてもよい。たとえば子供の誕生日を登録しておけば、コンテンツの記録日時の情報に基づいて生後日数が特定される。そこで、子供の生後日数の値をそのコンテンツのタイトルＩＤとして割り当てればよい。
【０１８０】
（４−４）ロックド・コンテンツ認証時の電子ペーパーの表示更新処理
本実施形態においては、電子ペーパーを備えたＢＤ２０５ａ（ＢＤ２０）は、ＢＤ−ＲＯＭディスクであるとする。ただし、ユーザへの配布時においてコンテンツが記録されたＢＤ−ＲＯＭディスクのみならず、ユーザによってコンテンツが再生専用フォーマットで記録されたＢＤ−Ｒディスクも含む。
【０１８１】
本項目においては、ＢＤ２０には、料金の支払いによって視聴の認証を受けなければ視聴できないコンテンツが記録されている。このときＢＤ２０の電子ペーパーには、料金が支払われて視聴可能なコンテンツ（購入・認証済コンテンツ）と、料金が未払いのため視聴不可能なコンテンツ（未購入コンテンツまたはロックド・コンテンツ）とが、電子ペーパー上で異なる態様で表示される。視聴不可能なコンテンツに対して料金が支払われているときには、レコーダ１００は電子ペーパーを書き換え、そのコンテンツの情報を視聴可能なコンテンツの態様で表示する。
【０１８２】
このようなＢＤ２０は、たとえばコンテンツ提供者から配布される。すなわちコンテンツ提供者は、複数の映画のコンテンツをロックド・コンテンツとして記録しておき、そのＢＤ２０をユーザに配布する。または、コンテンツ提供者は、映画のコンテンツをロックド・コンテンツとして記録するための記録装置を、ＤＶＤ／ＢＤストア等に設置しておく。ユーザは自己のブランクＢＤ２０を店頭に持参し、複数の映画のコンテンツを選択してロックド・コンテンツとして記録する。
【０１８３】
ユーザは視聴したい映画のみに対して料金を支払い、自宅のレコーダ１００等において上述の処理による視聴の認証を受ける。これにより、ユーザはその映画を楽しむことができる。視聴できるコンテンツはＢＤ２０の電子ペーパーに識別可能に表示されているため、ユーザはどのコンテンツが視聴可能かを、いつでも確認できる。
【０１８４】
図２３は、未購入コンテンツに料金を支払ったときの、電子ペーパーの表示内容の変化を示す。
【０１８５】
ＢＤ２０には、当初、２つの購入・認証済コンテンツ３５と、２つの未購入コンテンツ３６とが記録されている。各コンテンツには順に番号が付されている。以下では、番号１および２の映画コンテンツを購入・認証済コンテンツ３５とし、番号３および４の映画コンテンツを未購入コンテンツ３６として説明する。
【０１８６】
購入・認証済コンテンツ３５のジャンルおよびタイトルは、黒色の実線で明確に表示されている。一方の未購入コンテンツ３６のジャンルおよびタイトルは、黒色の実線とは異なる態様、たとえば点線や、より淡い濃度（グレー）で表示される。または、未購入コンテンツである旨のメッセージを黒色の実線で表示してもよい。電子ペーパー上の表示態様が明らかに異なっているため、または、文字列によってそのコンテンツの状態が明確に認識できるため、ユーザは、どのコンテンツが視聴可能か、またどのコンテンツが視聴不可能かを一見して判断できる。
【０１８７】
ここで、たとえば番号３のコンテンツに対して料金を支払い、視聴の認証を受けるとする。レコーダ１００の書換制御部２１９は、番号３のコンテンツの情報が実線で表示されるよう、電子ペーパーを書き換える。
【０１８８】
図２４は、ロックド・コンテンツの認証処理および電子ペーパーの更新処理の手順を示す。まずステップＳ２４０において、レコーダ１００は、図１１の処理によってＢＤ２０の装填を検出する。次のステップＳ２４１において、ＴＳ処理部２０４はＢＤから管理情報を読み出してＲＡＭ２１２に格納する。管理情報の存在によって、ＣＰＵ２１１はコンテンツが記録されていることを認識できる。  なお、ＢＤには著作権保護規格としてＡＡＣＳが規定されており、各コンテンツの著作権保護に関する管理情報を格納する専用ファイルがＢＤ上に記録されている。ロックド・コンテンツに関する管理情報も、その専用ファイルに格納されている。したがって、その専用ファイルに基づいて、ＣＰＵ２１１はロックド・コンテンツの存在を認識できる。なお、ＢＤ２０のプレイリストファイル８３に記述されるロックド・コンテンツの管理情報（図１８のプレイリストファイル８３）の再生保護フラグフィールド８３−１に再生を制限するフラグ値を設定することにより、ＣＰＵ２１１がロックド・コンテンツの存在を認識できるようにしてもよい。
【０１８９】
ステップＳ２４２において、指示受信部２１５は、ユーザからロックド・コンテンツの認証要求を受け取る。
【０１９０】
ステップＳ２４３において、ＣＰＵ２１１は、ユーザに対し、料金支払いの有無を示す課金情報の入力を求める。課金情報とは、コンテンツに対する料金の支払いが完了しているか否かを示す情報であり、たとえばコンテンツに対する料金の支払いが完了しているユーザにのみ配布される認証キーのキー番号である。
【０１９１】
ステップＳ２４４において、ユーザからの課金情報の受信に応答して、ＣＰＵ２１１は料金の支払いが完了しているか否かを判定する。たとえば管理情報に予めキー番号を記述しておき、入力された課金情報がそのキー番号と一致するか否かを判定すればよい。一致すれば支払いが完了していると判断して視聴を認証し、ステップＳ２４５に進む。一方、一致しなければ支払いが完了していないと判断して視聴を認証せず、ステップＳ２４３の処理に戻る。そしてＣＰＵ２１１はユーザに再度課金情報の入力を求める。
【０１９２】
ステップＳ２４５において、書換制御部２１９は、電子ペーパーの表示内容を更新して、視聴が認証されたコンテンツに関する情報を実線表示する。これにより、処理は終了する。コンテンツの視聴認証および電子ペーパーの更新処理終了後、そのコンテンツが再生される。
【０１９３】
なお、上述のステップＳ２４３およびＳ２４４においては、ＣＰＵ２１１はユーザに対して課金情報の入力を求め、その課金情報に基づいて料金の支払いの有無を判断した。しかし、他の方法を採用することもできる。
【０１９４】
たとえば、ＣＰＵ２１１は、ユーザに識別情報の入力を求める。識別情報とはユーザ名や、予め配布されたユーザＩＤ等である。そしてＣＰＵ２１１はネットワーク制御部２１４を介して、ネットワーク１０１に接続されたコンテンツ提供者のサーバ（図示せず）にアクセスし課金情報を取得する。
【０１９５】
ユーザが料金の支払いを完了している場合には、その識別情報に対応付けて支払済みであることを示す課金情報が登録されている。ユーザが料金の支払いを完了していない場合には、その識別情報に対応付けて支払いがされていないことを示す課金情報が登録されている。ＣＰＵ２１１は、この課金情報に基づいて、料金の支払いの有無を判断することができる。
【０１９６】
なお、表示されるコンテンツの情報は任意であり、サムネイル画像等であってもよい。電子ペーパー上には購入・認証済コンテンツ３５の情報のみが表示され、未購入コンテンツ３６の情報は表示されないとしてもよい。ＢＤ２０をレコーダ１００に装填したときに初めて未購入コンテンツ３６の情報を表示し、レコーダ１００を介して購入および認証手続きを行えばよい。
【０１９７】
また、シリーズの映画のコンテンツ１〜３が記録されている場合において、ユーザがコンテンツ１の視聴の認証を受けた後は、そのコンテンツ１の情報を明確に表示するとともに、続編２および３が存在することを示す情報、たとえば続編２および３のサムネイル画像やそのタイトルイメージを表示してもよい。
【０１９８】
さらに、映画の字幕をコンテンツとして購入することもできる。たとえば日本語字幕がコンテンツとして予めＢＤ２０に記録されているとする。ユーザが日本語字幕コンテンツを購入し視聴の認証を受けたときには、「日本語字幕」の文字を電子ペーパー上に実線表示すればよい。一方、日本語字幕がコンテンツとして予めＢＤ２０に記録されていない場合であっても、たとえばレコーダ１００のＨＤＤ２０５ｂに日本語字幕のデータを購入してダウンロードすることができる。このときも同様に、「日本語字幕」の文字や、ダウンロードした機器名を電子ペーパー上に実線表示すればよい。
【０１９９】
課金の仕方もまた、種々考えることができる。たとえばユーザが自己のブランクＢＤ２０を店頭に持参しロックド・コンテンツを記録したときには、支払額を低額にしてもよい。特に、電子ペーパーが付属している場合にはより低額にすることもできる。さらに、上述の処理は、コンテンツのコピーが課金の有無によって管理される場合においても適用できる。コピーの認証を受けているときには、黒の実線で表示し、認証を受けていないときにはグレーの破線または認証を受けていない旨を示す文字（黒の実線）で表示する、等である。
【０２００】
上述の処理においては、課金の有無で定まるコンテンツの種類ごとに、電子ペーパーの表示態様を変化させた。しかし、コンテンツの再生可能な時期に応じて電子ペーパーの表示態様を変化させてもよい。以下、図２５（ａ）〜（ｄ）を参照しながら、コンテンツの再生可能な時期に応じた表示態様の変化を説明する。
【０２０１】
まず、図２５（ａ）は、コンテンツの再生可能な時期に依存しないコンテンツの表示例である。ＢＤ２０には、ドラマの第１話〜第４話の各コンテンツが記録されている。図２５（ｂ）〜（ｄ）に示すＢＤ２０にも同じ第１話〜第４話の各コンテンツが記録されているとする。
【０２０２】
図２５（ｂ）〜（ｄ）は、再生可能なコンテンツの情報３７、および、再生不可能なコンテンツの情報３８を示す複数の例である。図２５（ｂ）は、第１話のみが５／１〜５／１６までの期間中再生可能であることを示している。第２話〜第４話は、その期間中は再生不可能である。このような制御は、たとえば、このドラマがテレビ放送とともにＢＤ２０で配布されている場合に必要となる。各話が放送されるよりも先にＢＤ２０で再生されないようにするためである。図２５（ｃ）および（ｄ）についても同様に、期間に応じて再生可能なコンテンツの情報がそれぞれ表示される。
【０２０３】
各コンテンツ再生可能期間は、たとえば各コンテンツの著作権保護に関する管理情報を格納する専用ファイルに記述されている。再生機器はその専用ファイルを参照することにより、各コンテンツが再生可能か否かを判断することができる。なお、専用ファイルに特定のサーバのネットワークアドレスを記述してもよい。再生機器がそのアドレスのサーバに対して当該コンテンツが再生可能か否かを問い合わせて、再生許可の応答を受けると再生を行い、再生不許可または応答を受けられない場合には再生を行わないように動作すればよい。
【０２０４】
（４−５）ディスクフォーマット処理時の電子ペーパーの表示更新処理
本実施形態においては、電子ペーパーを備えたＢＤ２０５ａ（ＢＤ２０）は、ＢＤ−ＲＥディスクであるとする。
【０２０５】
ＢＤ−ＲＥディスクでは、データの書き換えが可能であるため、記録されたコンテンツの視聴後に、そのディスクをフォーマット（初期化）処理してブランクディスクとし、新たなコンテンツを記録することができる。
【０２０６】
上記項目（４−１）において説明したように、レコーダ１００は、記録されたコンテンツに関連して電子ペーパーの表示内容を書き換える。フォーマット処理後はコンテンツが記録されていないため、電子ペーパー１０にどのような情報を表示するか、および、表示するための情報をどのように取得するかが問題となる。
【０２０７】
図２６は、ＢＤ２０をフォーマット処理したときの電子ペーパーの表示内容の変化を示す。フォーマット前の電子ペーパーには、記録されたコンテンツに関する種々の情報３９が表示されている。フォーマット処理後は、メーカーの宣伝・広告の情報４０が表示されている。なお、フォーマット処理とは、ＢＤ２０を構成するＢＤ２０５ａのデータ領域（図５（ａ））に存在するデータを消去することをいう。
【０２０８】
図２７（ａ）は、電子ペーパーの内蔵ＲＯＭ１７を示す。内蔵ＲＯＭ１７は、制御回路１１および１２から読み出し可能に接続されており、かつ、ＢＤ２０のフォーマット処理後に電子ペーパーに表示するためのイメージデータを格納している。制御回路１１および１２は、フォーマット処理後にそのイメージデータを読み出して、電子ペーパーに表示する。
【０２０９】
図２７（ｂ）は、ＢＤ２０を構成するＢＤ２０５ａのリードイン９６の配置を示す。リードイン９６はＢＤ２０５ａの最内周部分を含む領域であり、ユーザデータ以外のデータが書き込まれる。
【０２１０】
リードイン９６は、ディスクにアクセスするために必要なパラメータが格納されたディスク情報領域を含んでいる。このディスク情報領域に、ネットワークアドレスの情報９７が記述されている。このネットワークアドレスは、たとえばインターネット上のディスクメーカーのサーバに割り当てられており、そのサーバが、ＢＤ２０のフォーマット処理後に電子ペーパーに表示するためのイメージデータを格納している。
【０２１１】
図２８は、図２７（ａ）の構成を利用したフォーマット時の電子ペーパーの更新処理の手順を示す。
【０２１２】
ステップＳ２８０において、レコーダ１００は、図１１の処理によってＢＤ２０の装填を検出する。次のステップＳ２８１において、指示受信部２１５はユーザからＢＤ２０のフォーマット要求を受け取る。ＣＰＵ２１１は、フォーマット要求に応答してＴＳ処理部２０４に指示して、ＢＤ２０のデータ領域をフォーマット処理させる。
【０２１３】
ステップＳ２８３において、書換制御部２１９は、電子ペーパーの内蔵ＲＯＭ１７に格納されたイメージデータに基づいて画像を表示するよう、電子ペーパーの制御回路１１および１２に指示する。
【０２１４】
図２９は、図２７（ｂ）の構成を利用したフォーマット時の電子ペーパーの更新処理の手順を示す。ステップＳ２９０〜Ｓ２９２は、それぞれ図２８のステップＳ２８０〜Ｓ２８２であるため、説明は省略する。
【０２１５】
ステップＳ２９３において、ＴＳ処理部２０４は、ＢＤのリードインに格納されたネットワークアドレスを読み出す。次のステップＳ２９４において、ＣＰＵ２１１は、ネットワーク制御部２１４を利用してそのネットワークアドレスが割り当てられたサーバにアクセスし、そのサーバからイメージデータを取得する。
【０２１６】
そしてステップＳ２９５において、書換制御部２１９は、画像データに基づいて画像を表示するよう、電子ペーパーの制御回路１１および１２に指示する。
【０２１７】
以上の図２８または図２９の処理により、フォーマット後のＢＤ２０の電子ペーパーには、そのイメージデータに基づくメーカーの宣伝・広告の情報４０が表示される。
【０２１８】
（４−６）複数の表示領域を有する電子ペーパーの領域ごとの表示更新処理
本実施形態においては、電子ペーパーを備えたＢＤ２０５ａ（ＢＤ２０）はデータを書き込み可能なＢＤ−ＲディスクやＢＤ−ＲＥディスクであるとする。
【０２１９】
ＢＤ２０の電子ペーパーには、コンテンツの情報を表示する領域と、宣伝を表示する領域とが規定される。各領域は、図１０（ｂ）に示すような物理的に分離された複数の電子ペーパーによって規定されてもよい。または、各領域は、１つの電子ペーパーの表示部１３を、制御回路１１および１２が描き分けられることによって規定されてもよい。以下では後者の構成を説明する。
【０２２０】
図３０は、処理に応じて独立して更新される複数の表示領域の表示内容の変化を示す。まずＢＤ２０の電子ペーパーには、コンテンツの情報を表示するレーベル情報領域１０ａと、コンテンツに関連しない情報を表示する領域１０ｂとが規定される。以下では、領域１０ｂは、機器メーカーやディスクメーカー等の宣伝を表示するための宣伝領域１０ｂとして説明する。
【０２２１】
図３０では、電子ペーパーの上半分がレーベル情報領域１０ａであり、下半分が宣伝領域１０ｂである。レーベル情報領域１０ａにはデータが存在しないことを示す情報４１（「＜Ｎｏ  ｄａｔａ＞」）が記録される。宣伝領域１０ｂには、メーカーの新製品広告の情報４２が表示されている。
【０２２２】
いま、レコーダ１００がドラマのコンテンツを記録する例を考える。レコーダ１００は、上記（４−１）において説明した処理を行い、レーベル情報領域１０ａの表示を更新する。その結果、レーベル情報領域１０ａには、ＢＤに記録されたコンテンツのタイトルと番号の組の情報４１’が表示される。
【０２２３】
一方、宣伝領域１０ｂの広告情報４２は変更されず、当初のまま保持される。これは、行制御回路１１または列制御回路１２が、宣伝領域４２のみを通過する各アドレス線１５−１および１５−２に電圧を印加しないことによって実現される。電圧が印加されなければ、そのアドレス線によって駆動される粒子には外部電場が印加されないため、粒子の状態は変化しない。
【０２２４】
続いて、ドラマの録画後に、レコーダ１００がネットワーク制御部２１４等を介して広告情報を受け取り、広告の表示を更新する例を考える。レコーダ１００の書換制御部２１９は、ネットワーク制御部２１４を介して受信した広告表示用のデータを受け取り、宣伝領域１０ｂの表示を更新する。その結果、宣伝領域１０ｂには、新たな広告情報４２’が表示される。一方、レーベル情報領域１０ａに表示された情報４１’は変更されない。
【０２２５】
なお、広告情報の取得方法は任意である。たとえばネットワーク制御部２１４がメーカーのサーバ（図示せず）に所定のタイミングでアクセスすることによって広告情報を取得してもよいし、メーカーのサーバから配信された広告情報を受信することによって広告情報を取得してもよい。
【０２２６】
５．光ディスク装置による電子ペーパー付きＢＤの書き込みタイミングの制御処理
本実施形態においては、電子ペーパーへのデータの書き込みタイミングを説明する。本実施形態による書き込みタイミングの制御は、電子ペーパーのマイクロカプセルに入れられた液体の比重と帯電粒子の比重とが異なる場合に特に有用である。比重が異なると、ディスクの回転に伴う遠心力の影響で表示が崩れる恐れがある。そこでデータの書き込みタイミングが重要となる。
【０２２７】
上述のように、電子ペーパーの書き換えは、ディスクが回転していても行うことは可能である。しかし、高速回転中は遠心力の影響が大きく、表示が崩れる恐れがある。そこで、たとえばディスクイジェクト時にディスク回転数が所定数以下になったとの通知をドライブ装置から受けて、書換制御部２１９が電子ペーパーの書き換えを行ってもよい。
【０２２８】
一方、ディスクが挿入されたときには、レコーダ１００はデータを読み出すため、ディスクを比較的高速で回転させる。この回転に伴う遠心力で、電子ペーパーの表示が崩れるおそれがある。
【０２２９】
そこで、電子ペーパーの表示内容を、たとえばビットマップデータとして、電子ペーパー１０のチップ回路内のメモリに格納しておくことが好ましい。または、ＢＤ−ＲやＢＤ−ＲＥなどの記録型ディスクにおいては、ビットマップデータを記録層に記録しておいてもよい。書換制御部２１９は、ディスクのイジェクト時に回転数が所定数以下になったとき、そのデータに基づいて電子ペーパーの表示内容を再度書き込んでもよい。なお、コンテンツがディスクに追記されたときなどは表示内容を変更する必要が生じるため、書換制御部２１９は、追記したコンテンツに関する情報を含む最新の内容に更新し、その表示内容のビットマップデータを電子ペーパー１０のチップ回路内のメモリに上書きすればよい。
【０２３０】
なお、電子ペーパーに書き込むタイミングは、ユーザによってレコーダ１００に設定されてもよいし、レコーダ１００が自ら判断してもよい。
【０２３１】
たとえばＢＤ２０の商品説明においてディスクイジェクト時の書き込みが指定されている場合には、ユーザはディスクイジェクト時に電子ペーパーに書き込みを行うよう設定することができる。そしてレコーダ１００は、その設定されたタイミングで電子ペーパー１０の表示内容を更新する。
【０２３２】
一方、電子ペーパー上の制御回路１１、１２（図４、図９）、内蔵ＲＯＭ１７（図２７）などに、電子ペーパーへの記録タイミングを指示する情報や電子ペーパーの粒子の比重の情報が格納されていれば、レコーダ１００はその情報に基づいて電子ペーパーに書き込むタイミングを制御できる。たとえば、粒子の比重がしきい値よりも大きい場合には遠心力の影響が大きくなるため、ディスクイジェクト時に電子ペーパーに書き込みを行う。
【０２３３】
電子ペーパー１０の表示内容がイジェクト時に更新される場合には、全ての情報が一回で書き換えられる。一方、電子ペーパーの表示内容がイジェクト時に更新されない場合には、たとえばＢＤ２０にコンテンツが記録される度に、電子ペーパーの表示内容が書き換えられる。
【０２３４】
なお本明細書においては、電子ペーパーの表示内容の書き換えは、装置が管理情報等からその都度必要な全ての情報を収集して行っていた。しかし、ＢＤ２０５ａが記録可能型のＢＤ−ＲＥディスクやＢＤ−Ｒディスクであれば、電子ペーパーの表示内容を示すデータをデータ領域に記録しておくことが可能である。これにより装置は書き換えごとに全ての情報を収集する必要はなくなり、処理がさらに高速化できる。
【０２３５】
さらに本実施形態では、電子ペーパーが接着されたＢＤを例に挙げた。このＢＤに代えてＨＤ−ＤＶＤ、ＤＶＤ、ＣＤ等を利用することもできる。
【０２３６】
本発明はさらに、ＨＤＤ内蔵レコーダにおいて、コンテンツをＨＤＤに録画する場合にも応用できる。たとえばレコーダ本体またはレコーダと接続されたテレビに上述した電子ペーパー１０を設け、録画した番組番号と番組名等の組を表示する。このとき、上記項目（４−３）において説明したように、表示された番組番号と管理情報中のタイトルＩＤとを対応付けておく。ユーザは再生したい番組番号に対応するリモコンボタンを押下すれば、その番号に対応する録画番組の再生が開始されるため、簡単な操作で希望する番組を視聴できる。
【０２３７】
なお、レコーダ本体またはレコーダと接続されたテレビに電子ペーパを設ける場合には、電子ペーパー１０に赤外線の受信部を設け、携帯電話等の赤外線送信機能を利用して電子ペーパーに任意の情報を書き込めるように構成してもよい。赤外線以外の無線を利用してもよい。
【産業上の利用可能性】
【０２３８】
本発明のディスク装置によれば、非常に簡単な構成で電子ペーパーの表示内容を書き換えることができる。また本発明のデータ処理装置によれば、記録媒体に記録されたコンテンツと密接に関連させて電子ペーパーの表示が制御されるため、記録されたコンテンツの詳細な情報を容易に確認できる。よってユーザの利便性が非常に高い記録媒体を提供できる。
【図面の簡単な説明】
【０２３９】
【図１】ＨＤＤ内蔵ＢＤレコーダ１００の機能ブロックの構成を示す図である。
【図２】電子ペーパー付きＢＤ２０の構成を示す図である。
【図３】ＢＤ２０の断面を示す図である。
【図４】円形電子ペーパー１０の配線を示す図である。
【図５】（ａ）はＢＤ２０における電子ペーパーの入力端子群１６の形状および位置を示す図であり、（ｂ）は光ディスクドライブ２５１側の出力端子群２２０の形状および配置を示す図である。
【図６】（ａ）は第１の変形例にかかる電子ペーパーの入力端子群１６の形状および位置を示す図であり、（ｂ）は第１の変形例にかかる出力端子群２２０の形状および位置を示す図である。
【図７】（ａ）は第２の変形例にかかる電子ペーパーの入力端子群１６の形状および位置を示す図であり、（ｂ）は第２の変形例にかかる出力端子群２２０の形状および位置を示す図である。
【図８】（ａ）は第３の変形例にかかる電子ペーパーの入力端子群１６の形状および位置を示す図であり、（ｂ）は第３の変形例にかかる出力端子群２２０の形状および位置を示す図である。
【図９】矩形電子ペーパー１９を示す図である。
【図１０】（ａ）および（ｂ）は、ＢＤ２０における矩形電子ペーパー１９の配置例を示す図である。
【図１１】電子ペーパー付きＢＤが装填されたか否かの検出処理の手順を示すフローチャートである。
【図１２】電子ペーパーの表示内容の変化を示す図である。
【図１３】コンテンツ記録時の電子ペーパーの更新処理の手順を示すフローチャートである。
【図１４】電子ペーパーの表示内容の変化を示す図である。
【図１５】コンテンツ再生時の電子ペーパーの更新処理の手順を示すフローチャートである。
【図１６】ＢＤ２０５ａの記録領域と、そのディレクトリ／ファイル構造を示す図である。
【図１７】（ａ）〜（ｄ）は、管理情報とストリームデータとの関係を示す図である。
【図１８】プレイリストファイル８３に格納される情報（エントリ）およびそのデータ構造を示す図である。
【図１９】複数枚のＤＶＤに記録されたコンテンツを１枚のＢＤ２０にまとめて保存するときのコンテンツの流れと、ＢＤ２０上の電子ペーパーの表示内容を示す図である。
【図２０】ＢＤ−ＲＯＭの記録領域と、そのディレクトリ／ファイル構造を示す図である。
【図２１】管理ファイル９２のデータ構造の一部を示す図である。
【図２２】電子ペーパーに表示されたタイトルＩＤに基づくコンテンツの再生処理の手順を示すフローチャートである。
【図２３】未購入コンテンツに料金を支払ったときの、電子ペーパーの表示内容の変化を示す図である。
【図２４】ロックド・コンテンツの認証処理および電子ペーパーの更新処理の手順を示すフローチャートである。
【図２５】（ａ）は、コンテンツの再生可能な時期に依存しないコンテンツの表示例を示す図であり、（ｂ）〜（ｄ）は、再生可能なコンテンツの情報３７、および、再生不可能なコンテンツの情報３８を示す複数の表示例を示す図である。
【図２６】ＢＤ２０をフォーマット処理したときの電子ペーパーの表示内容の変化を示す図である。
【図２７】（ａ）は電子ペーパーの内蔵ＲＯＭ１７を示す図であり、（ｂ）はＢＤ２０を構成するＢＤ２０５ａのリードイン９６の配置を示す図である。
【図２８】図２７（ａ）の構成を利用したフォーマット時の電子ペーパーの更新処理の手順を示すフローチャートである。
【図２９】図２７（ｂ）の構成を利用したフォーマット時の電子ペーパーの更新処理の手順を示すフローチャートである。
【図３０】処理に応じて独立して更新される複数の表示領域の表示内容の変化を示す図である。
【図３１】行アドレス線１５−１および列アドレス線１５−２の交点位置における電子ペーパーの断面図である。
【符号の説明】
【０２４０】
１０  電子ペーパー
１１  行制御回路
１２  列制御回路
１３  表示部
１４  周縁部
１５−１  行アドレス線
１５−２  列アドレス線
１６  入力端子群
２０  電子ペーパー付きＢＤ
１００  ＨＤＤ内蔵ＢＤレコーダ
１１２  メモリカード
２０１ａ  デジタルチューナ
２０１ｂ  アナログチューナ
２０２  ＡＤコンバータ
２０３  ＭＰＥＧ−２エンコーダ
２０４  ＴＳ処理部
２０５ａ  ＢＤ
２０５ｂ  ＨＤＤ
２０６  ＭＰＥＧ−２デコーダ
２０７  グラフィック制御部
２０８  メモリ
２０９  ＤＡコンバータ
２１０  プログラムＲＯＭ
２１１  ＣＰＵ
２１２  ランダムアクセスメモリ（ＲＡＭ）
２１３  ＣＰＵバス
２１４  ネットワーク制御部
２１５  指示受信部
２１６  インターフェース（Ｉ／Ｆ）部
２１７  メモリカード制御部
２１９  書換制御部
２２０  出力端子群
２２１  ドライブ回転軸
２２２  ドライブ軸受け
２２３  スピンドルモータ
２５０  システム制御部
２５１  光ディスクドライブ
【手続補正３】
【補正対象書類名】図面
【補正対象項目名】全図
【補正方法】変更
【補正の内容】
【図１】
2006126640.tif 000033
【図２】
2006126640.tif 000034
【図３】
2006126640.tif 000035
【図４】
2006126640.tif 000036
【図５】
2006126640.tif 000037
【図６】
2006126640.tif 000038
【図７】
2006126640.tif 000039
【図８】
2006126640.tif 000040
【図９】
2006126640.tif 000041
【図１０】
2006126640.tif 000042
【図１１】
2006126640.tif 000043
【図１２】
2006126640.tif 000044
【図１３】
2006126640.tif 000045
【図１４】
2006126640.tif 000046
【図１５】
2006126640.tif 000047
【図１６】
2006126640.tif 000048
【図１７】
2006126640.tif 000049
【図１８】
2006126640.tif 000050
【図１９】
2006126640.tif 000051
【図２０】
2006126640.tif 000052
【図２１】
2006126640.tif 000053
【図２２】
2006126640.tif 000054
【図２３】
2006126640.tif 000055
【図２４】
2006126640.tif 000056
【図２５】
2006126640.tif 000057
【図２６】
2006126640.tif 000058
【図２７】
2006126640.tif 000059
【図２８】
2006126640.tif 000060
【図２９】
2006126640.tif 000061
【図３０】
2006126640.tif 000062
【図３１】
2006126640.tif 000063
【国際調査報告】
2006126640.tif 000064
2006126640.tif 000065
2006126640.tif 000066
2006126640.tif 000067